(57)【要約】      （修正有）【課題】従来のアクアリウムは、複数の水槽で構成され、各水槽の水面レベルが大きく違う場合には、接続できなかった。例えばマンションの1階部の水槽と2階部の水槽を直接接続すると、その水面レベルの違いのために、水は高所から低所に流れ落ち、たちまち氾濫を起こしてしまうという問題があったので、この問題を解決可能な揚水式空中アクアリウム装置及び分散統合型アクアリウム基盤装置を提供する。【解決手段】垂直連携エレベータの技術を使い、たとえ複数の水槽の水面レベルが大きく異なる場合でも、その水槽相互の垂直接続を可能にする。また、複数の水槽の水面レベルが同じであれば、水平連携水路の技術を使い、水平接続を可能にする。分散統合型アクアリウム装置は、この垂直連携および水平連携の技術により、例えば、マンションの1階部から2階部、更に高層階への魚たちの自由な遊泳移動を実現する。【選択図】 図１９
2018113893.tif 000002
【特許請求の範囲】
【請求項１】
独立項  揚水式空中アクアリウム装置
水槽と、
両側面に開口部を有する構造物支持台と、
筒状水路と、
上部に排気装置と給餌装置が搭載された貯水室と、
給水手段と、
で構成され、
前記水槽と前記構造物支持台から成る構造物基礎部が形成され、
更に、
前記筒状水路は、前記構造物支持台の上部に固定され、
前記貯水室は、前記筒状水路の上部に搭載され、固定されて貯水路部が形成され、
前記構造物基礎部と前記貯水路部が一体化され、排気装置と給餌装置を搭載したサイホン式貯水路が形成され
はじめに、
前記給水手段によって、
給水された水で、前記構造物基礎部の水槽が満たされ、
次に、
前記排気装置を稼働させ、
前記サイホン式貯水路内部の空気を排気し、減圧し、前記構造物基礎部の水槽に満たされる水を、前記貯水路部へと導き、前記サイホンブリッジ式貯水路を静止した水で満たし、
次に、
前記給餌装置によって、餌を、前記貯水室内部に注入し、空中給餌を実現する、
ことを特徴とする揚水式空中アクアリウム装置。
【請求項２】
着脱式排気弁
前記排気装置は、
着脱式排気弁と、排気口密閉コック付き排気弁着脱部と、真空ポンプ装置と、
で構成され、
さらに、
前記排気弁着脱部は、
前記貯水室上部に固定され、
前記排気装置が形成され、
はじめに、
前記着脱式排気弁を、前記排気弁着脱部に挿入し、篏合し、
次に、
前記真空ポンプ装置を、前記排気装置の排気弁に結合させ、
前記貯水室内部の空気を、排気し、減圧して、排気装置として機能し、
着脱式排気弁と排気口未密閉コック付き排気弁受部から成ることを特徴とする、
請求項１の揚水式空中アクアリウム装置。
【請求項３】
空気の侵入を防止する給餌フタ
前記給餌装置は、
ロート状餌受容器と、
ロート状餌受容器の上に被さる完全密閉しない可動フタと、
完全にクローズし、完全にオープンする給餌用開閉コックと、
で構成され、
常に閉じた状態にある給餌装置を操作し、
まず、前記可動フタを開け、
餌を、前記ロート状餌受容器に注ぎ入れ、
前記可動フタを閉め、
次に、前記給餌用開閉コックを「開」にし、すばやく、「閉」に戻す瞬間的動作により、
空気の侵入を抑え、餌だけを注入する、
空気の侵入を防止する給餌装置を実現することを特徴とする、請求項１の揚水式空中アクアリウム装置。
【請求項４】
構造物基礎部の給排水用貫通穴
前記サイホン式貯水路が、前記構成と異なる下記のサイホンブリッジ式貯水路の構成であり、
上流部水槽と下流部水槽と、
両側面に開口部を有する上流部構造物支持台および下流部構造物支持台と、
上流部筒状水路と下流部筒状水路と、
上部に排気装置と給餌装置が搭載された貯水室と、
循環装置と、
給水手段と、
排水手段と、
で構成され、
前記上流部水槽の側面と、前記下流部水槽の側面と、を互いに接着し、
更に、その接着された水槽境界面の高い位置に水平連携用貫通孔を設け、
同様に、前記下流部水槽容器の側面上部の同じ高さに排水用排水穴を設けて前記排水路が形成され、
前記水平連携用貫通孔と前記排水孔によって構造物の給排水機構が形成され、
更に、上流部構造物支持台は、前記上流部水槽容器の中央部に
逆さに伏せた状態で固定され、
同様に、下流部構造物支持台は、前記下流部水槽容器の中央部に
逆さに伏せた状態で固定され、
構造物基礎部が形成され、
更に、前記上流部筒状水路は、前記上流部構造物支持台の上部に固定され、
同様に、前記下流部筒状水路は、前記下流部構造物支持台の上部に固定され、
前記貯水室Cは、
前記上流部筒状水路と前記下流部筒状水路の上部に、搭載され、
固定されて貯水ブリッジ部が形成され、
前記構造物基礎部と前記貯水ブリッジ部が一体化され、
排気装置と給餌装置を搭載したサイホンブリッジ式貯水路が形成され
前記給水手段によって供給された水は、
先ず、前記上流部水槽に導かれ、そこを満たし、
次に、前記上流部水槽を満たした水は、
前記上流部水槽の貫通穴を通り、前記下流部水槽に導かれ、
前記下流部水槽を満たした過剰な水は、前記排水穴から外部に排水され、
前記の構造と動作により、給排水機能が実現され、
前記構造物基礎部が、貫通孔および排気孔を具備することにより、
サイホンブリッジ式構造物への給排水機能を実現することを特徴とする請求項１の揚水式空中アクアリウム装置。
【請求項５】
４の従属  角度で落水水位調整する排水装置
前記構造物基礎部は、
前記下流部水槽と、排水水位調整機構と、排水路と、で構成され、
前記下流部水槽の側面の高い位置に排水口をあけ、給排水機構が形成され、
前記排水水位調整機構の水面との傾き「角度」を微調整し、
排水が始まる水位を変化させることを特徴とする請求項４の揚水式空中アクアリウム装置。
【請求項６】
ディスプレイ装置
前記サイホン式貯水路の形状が、
薄型TV画面型ディスプレイ、タワー型ディスプレイまたは、高層ビル型ディスプレイ、または、垂直連携エレベータ型ディスプレイまたは、エスカレータ型ディスプレイのいずれかであり、ディスプレイ装置を実現することを特徴とする請求項１の揚水式空中アクアリウム装置。
【請求項７】
貯水室が残留空気室
前記貯水室は、
空気残留容器を前記貯水室天井部に設け、
残留空気室付き貯水室が形成され、
はじめに、
前記水槽を水で満たし、
前記排気装置によって、
前記残留空気室付き貯水室の空気を排気減圧し、
前記水槽の水を、揚水し、前記残留空気室付き貯水室へと導き、
一部の空気を前記残留空気室に残留させ、
空気が残留する残留空気室付き貯水室を実現し、
更に、
前記給餌装置によって、外部から侵入する空気を前記残留空気室に追加して残留させ、
前記の一連の動作により、魚の呼吸のための残留空気室付き貯水室を実現することを特徴とする請求項１の揚水式空中アクアリウム装置。
【請求項８】
独立  分散統合型アクアリウム基盤装置
分散統合型アクアリウム基盤装置装置は、
１階部水流系と、
２階部水流系と、
垂直連携エレベータと、
垂直連携揚水ポンプと、
給水手段と、で構成され、
前記１階部水流系は、
１階部垂直連携水槽と、1階部水路と、１階部水槽と、から成り、
前記１階部垂直連携水槽と前記1階部水路と前記１階部水槽と、を直列に繋いで、
１階部水流系が、形成され
前記２階部水流系は、
２階部垂直連携水槽と、２階部水路と、２階部水槽と、２階部排水路と、から成り、
２階部垂直連携水槽と２階部水路と２階部水槽と、を直列に繋いで、
２階部水流系が形成され
前記垂直連携エレベータは、
1階部水門付き貯水室と、上部に排気装置と給餌装置とを搭載する2階部水門付き貯水室と、垂直連携水路と、が接合されて形成され、
前記１階部垂直連携水槽内部に立脚し、更にその上部に配置される前記２階部垂直連携水槽内部に立脚し、垂直に接続されることで形成され、
前記垂直連携揚水ポンプは、
前記１階部垂直連携水槽と前記２階部垂直連携水槽とが、前記揚水ポンプで接続され形成され、
更に、前記垂直連携エレベータと、垂直連携ポンプとで、垂直連携水流系が形成され、
更に、前記１階部水流系と前記垂直連携水流系と前記２階部水流系と排水系と、が環状に接続されることにより、分散型アクアリウム装置を循環する循環水流系が形成され、
はじめに、
前記給水手段により、水が
前記１階部垂直連携水槽に供給されることにより、分散型アクアリウムへの初期給水を開始し、
前記１階部垂直連携水槽、続いて前記１階部水槽を徐々に満たし、
次に、
前記垂直連携揚水ポンプを稼働させ、
前記１階部垂直連携水槽の水を前記２階部垂直連携水槽へと揚水し、
前記２階部垂直連携水槽を徐々に満たし、２階部水槽を徐々に満たし、
続いて、
前記２階部水槽をオーバーした水が、１階部水流系へと排水され、
更に、前記１階部水槽をオーバーした水が、外部へと排水され、
初期給水を終了し、
次に、
前記排気装置を稼働し、前記垂直連携エレベータ内部の空気を排気し、減圧し、
前記１階部垂直連携水槽の水を、前記２階部垂直連携水槽に揚水し、
前記の構造と動作により、分散型アクアリウムを循環する水流を実現し、
１階部の水槽から、２階部の水槽への水流循環および、
１階部の水槽と、２階部の水槽との魚の移動を実現することを特徴とする分散統合型アクアリウム基盤装置。
【請求項９】
掃除手段が、掃除屋とサイホン管掃除補助装置
掃除屋と、掃除屋控室と、
控室用発熱器と、控室用水温センサーと、
全水槽用発熱器と、全水槽用水温センサーと、
水温制御装置と、で構成され、
前記掃除屋控室は、
前記１階部垂直連携水槽の内部に設置され、
更に
前記控室用発熱器と前記控室用水温センサーとが、前記掃除屋控室内に配置され、
前記水温制御装置に電気的に接続され、
更に、
前記全水槽用発熱器と前記全水槽用水温センサーとが、前記１階部垂直連携水槽内部に設置され、前記水温制御装置に電気的に接続され、
前記水温センサーと前記発熱器と前記水温制御装置と、で循環水流式水温制御装置が形成され、
はじめに、
管理者が、
前記掃除屋控室の設定水温を、掃除屋の活動水温（約２６℃）に設定し、
前記１階部垂直連携水槽の設定水温を、掃除屋の活動水温（約２６℃）または“室温追随モード”に設定し、
前記循環水流式水温制御装置が、前記水温設定に従って、
前記水温センサーで感知された水温と、設定された目標水温とを比較し、
前記控室用発熱器、及び前記全水槽用発熱器を、発熱制御し、
発熱制御された水を、前記１階部垂直連携水槽から送り出し、
循環する水流を使って、前記1階部水流系へ、前記垂直連携水流系へ、前記２階部水流系へと運ぶことにより、
前記掃除補助装置によって、掃除屋の魚たちが行なう清掃掃除を支援することを特徴とする請求項８の分散統合型アクアリウム基盤装置。
【請求項１０】
周辺装置が、酸素供給装置
酸素供給手段は、
前記１階部垂直連携水槽と、
エアバブル発生装置と、エアバブル発生器と、エアチューブと、
水門付き貯水室と、
縦型筒状水路と、底部に開口部を有する空中水槽と、
揚水ポンプと、入力パイプと、出力パイプと、
落水水路と
で構成され、
前記エアバブル発生器は、
前記水門付き貯水室内の底部に設置され、エアチューブが外部に引き出され、エアバブル発生装置と接続され、
前記水門付き貯水室は、前記１階部垂直連携水槽の内部に、設置され、
更に、
前記筒状水路が、前記水門付き貯水室の上部に載せられ、
前記筒状水路の上部に前記空中水槽が載せられ、固定され、空中水槽搭載タワーが形成され、
更に
前記落水水路が、前記空中水槽の側面上部に取り付けられ、
前記揚水ポンプは、
前記入力パイプにより、前記１階部垂直連携水槽に接続され、
前記出力パイプにより、前記水門付き貯水室に接続され、水圧式揚水エレベータ装置が形成され、
はじめに、
給水手段により、前記１階部垂直連携水槽を水で満たし、
次に
前記す圧式揚水エレベータの水門を閉じて、前記揚水ポンプを稼働させ、
１階部垂直連携水槽内の水を、前記揚水ポンプを経由して、前記水門付き貯水室に送り込み、
前記揚水式エレベータ内部の水位を徐々に上げ、
前記空中水槽搭載タワーの高さへ揚水し、前記空中水槽を満たし、
前記空中水槽をオーバーする水は前記落水水路を
前記１階部垂直連携水槽へと落下させ、
次に、
前記エアバブル発生装置を稼働させ、
前記エアバブル発生器から出てくる空気泡が、前記空中水槽搭載タワーの中を、下部から上昇し、前記空中水槽の水面から外部に放出され、
その道程で、空気泡は、水に溶け込み、酸素供給手段が実現されることを特徴とする請求項８の分散統合型アクアリウム基盤装置。
【請求項１１】
カルキ抜き装置および自動水交換装置
カルキ抜き手段および水交換手段は、
カルキ抜きタンクと、エアバブル発生装置と、エアバブル発生器と、エアチューブと、
で構成され、
前記エアバブル発生器は、
前記カルキ抜きタンク内の底部に設置され、前記エアチューブが外部に引き出され、前記エアバブル発生装置に接続され、カルキ抜き浄水装置が形成され、
更に、
前記カルキ抜きタンクと、前記１階部垂直連携水槽と、前記１階部水路と、前記１階部水槽と、で自動水交換装置が形成され、
はじめに、
前記給水手段により、前記カルキ抜きタンクを水道水で満たし、
次に、
前記エアバブル発生装置を稼働させ、
前記エアバブル発生器から出てくる空気泡が、
前記カルキ抜きタンクの中を、満たされている水道水と接触しながら上昇し、水面に達し、外部に放出されていく、その道程で、空気泡と水道水中のカルキを反応させ、
時間をかけて、カルキを抜いていき、カルキ抜き装置の機能を実現し、
続いて、
前記カルキ抜きタンク下部の開閉コックを開き、
前記カルキ抜きタンクの中のカルキの抜けた水を、前記１階部垂直連携水槽に落下させ、
前記循環水流の流れに乗せ、循環させ、
前記１階部水槽をオーバーする水を、前記１階部排水路から外部に排出させ、
前記自動水交換装置を実現することを特徴とする請求項８の分散統合型アクアリウム基盤装置。
【請求項１２】
残留空気室
前記垂直連携エレベータは、
空気残留容器が、前記貯水室天井部に逆さに取り付けられ残留空気室付き貯水室が形成され、
はじめに、
前記１階部垂直連携水槽を水で満たし、
前記排気装置によって、
前記残留空気室付き貯水室の空気を排気し減圧し、
前記1階部垂直連携水槽内部の水を、揚水し、前記残留空気室付き貯水室へと導き、
一部の空気を前記残留空気室に残留させ、空気が残留する残留空気室付き貯水室を実現し、
更に、
前記給餌装置によって、外部から侵入する空気を前記残留空気室に追加して残留させ、
魚の呼吸のための残留空気室付き貯水室を実現することを特徴とする請求項８の分散統合型アクアリウム基盤装置。
【請求項１３】
ディスプレイ装置
ディスプレイ装置が、
薄型TV画面型ディスプレイ装置、または、タワー型ディスプレイ装置、または、高層ビル型ディスプレイ装置、または、垂直連携エレベータ型ディスプレイ装置、または、エスカレータ型ディスプレイ装置のいずれかで実現されることを特徴とする請求項８の分散統合型アクアリウム基盤装置。
【請求項１４】
垂直連携水流系が、水圧式垂直連携エレベータ
前記垂直連携水流系は、
水圧式垂直連携エレベータと、垂直連携揚水装置と、で構成され、
前記１階部垂直連携水槽内部に立脚し、
1階部水門付き貯水室の上部に、給餌装置を搭載する逆L字型垂直連携水路を載せ、
水門付き間仕切り壁で仕切られた２階部垂直連携水槽と、接合固定され、
前記水圧式垂直連携エレベータが、形成され、
前記１階部垂直連携水槽と前記２階部垂直連携水槽とが、揚水ポンプで接続され、
前記垂直連携揚水装置が形成され、
更に、前記水圧式垂直連携エレベータと、前記垂直連携揚水装置とで、
垂直連携水流系が形成され、
はじめに、
前記給水手段により、水が
前記１階部垂直連携水槽に供給されることにより、分散型アクアリウムへの初期給水を開始し、
前記１階部垂直連携水槽、続いて前記１階部水槽を徐々に満たし、
次に、
前記１階部水門付き貯水室の水門を閉じ、前記２階部の間仕切り壁の水門を閉じ、
前記垂直連携揚水ポンプを稼働させ、
前記１階部垂直連携水槽の水を前記２階部垂直連携水槽へと揚水し、
前記２階部垂直連携水槽を徐々に満たし、２階部水槽を徐々に満たし、
続いて、
前記２階部水槽をオーバーした水が、１階部水流系へと排水され、
更に、前記１階部水槽をオーバーした水が、外部へと排水され、
初期給水を終了し、
前記の構造と動作により、分散型アクアリウムを循環する水流を実現し、
１階部の水槽から、２階部の水槽への水流循環および、
１階部の水槽と、２階部の水槽との魚の移動を可能にする、
前記垂直連携水流系が、水圧式垂直連携エレベータであることが特徴の請求項８の分散統合型アクアリウム基盤装置。
【発明の詳細な説明】
【技術分野】
【０００１】
本発明は、
アクアリウムの分散技術、アクアリウムの統合技術、
浄水装置、給水装置、水循環装置、排水装置、および
揚水式エレベータ技術、自動清掃装置、自動水交換装置などの分野、および、
アクアリウムの方式設計、装置実装、装置製造に共通する技術、基盤技術とプラットフォームの分野に属する。
【先行技術文献】
【特許文献】
【０００２】
【特許文献１】特開２００５−１３７２８０  水族鑑賞装置および水族鑑賞方法ならびに水路付き水槽
【特許文献２】特開平７−５９３１   定水位自動調節装置
【特許文献３】特開平１１−１３２２００    複数段水槽の定水位給排水装置、及びこれを用いた複数段水槽の循環ビオトープ水系装置
【特許文献４】実用新案登録  第３１５４８７５号   水流型水槽
【０００３】
特許文献１の「水族鑑賞装置および水族鑑賞方法ならびに水路付き水槽」は、サイホン原理を使った、逆Ｕ字形の透明パイプの中を通る魚を鑑賞する装置の提案である。
【０００４】
しかし、このような形の逆Ｕ字形のパイプを実際に作ってみるが、魚は、決して逆Ｕ字形の水路の中を通ろうとはしない。  
【０００５】
何故ならそこは、外界から丸見えの場所であり、逃げるところ、隠れるところがないので、自己防衛本能と恐怖心から、魚たちは敢えてそこを通ろうとしない。
【０００６】
もし、水に流れがあって、上流から餌が流れてくる、逆Ｕ字形パイプの場所に行くと餌にありつける、等の利点があれば魚はそこに行くかもしれないが、魚は余程のことがないかぎり恐怖心からそこへは行きたがらない。
【０００７】
魚たちをどのような方法で逆Ｕ字パイプ水路の中を通らせるかが、より困難な問題である。
【０００８】
逆Ｕ字パイプ付き水槽の技術は、水路として透明なアクリル樹脂パイプを採用することで、魚の回遊を可能にするとあるが、他方でこれが重大な問題を引き起こす。
【０００９】
透明な水路は苔や垢で汚れ、そこを魚が通ったとしても汚れのため、魚の姿は良く見えなくなる。逆Ｕ字水路の内壁の苔をどのような方法で取り除くかが、大問題となる。
【００１０】
特許文献４の「水流型水槽」での問題は、この水流付き水槽の方法では、水流は水槽の上部から下部に流れるものであり、水槽内部の狭い空間に限られた局所的な流れであり、川のような流れとは、程遠いものである。狭い空間での局所的な流れであるため、魚たちは、常に流れに晒されるため、休むことも寝ることもできないという、他の問題を抱えることになる。
川には、急流があり、流れの緩やかな場所、岩の多い場所、石や砂の多い場所、水草の茂る場所、天敵から隠れる場所、など、が備わっているから、魚たちは生きていけるのである。
【００１１】
これまでの従来技術は、限られた狭い水槽空間での水温管理・水の浄化・照明などに関するものであり、これは水棲生物を生存させる技術、水槽を如何にキレイに保つか、魚を如何にキレイに見せるかという技術の域にとどまっている。
しかし、「まるで川に棲むような環境」、水棲生物が生き活きと活発に生活を営む理想的な水棲生物の環境を提供する技術とは決して言えない。
【００１２】
基礎技術（１）サイホン管式循環水流装置
サイホンの水位平衡原理を利用して立体的な水流循環を実現する。
【００１３】
基礎技術（２）サイホンの原理について
（図４）
図４（A）の“四角い水槽”５００は、単なる水槽容器である。
図４（B）は、サイホンの平衡原理と、アクアリウムの第1歩を説明する図である。
サイホン５１０は、
容器５１１と、容器５１２とを、サイホン管５１５と、で構成される。
先ず、水槽容器５１１、５１２を、水で満たす。
次に、サイホン管５１５を水で満たす。
２つの水槽をサイホン管５１５でつなぐ。
２つの水槽の水位が異なる場合には、容器の水は、水位の高い水槽から低い水槽へと、水位が同じになるまで、移動する。
これが、サイホンの平衡原理である。
この図を、アクアリウム装置のとして、解説する。
この例のアクアリウムは、
を構成する水槽が、1台から２台に増え、
水槽５１１と、水槽５１２と、サイホン管水路５１５と、で構成され、
前記水槽５１１と前記水槽５１２と、がサイホン管水路５１５により連携（水平連携、垂直連携）され、サイホンブリッジ５１０が形成される。
といった具合である。
これが“四角い水槽”５００から、サイホン管型揚水式空中アクアリウム装置５１０への進化の第1歩である。
ただし、この時点ではサイホン管を真空にする仕組みは、未だ装備していない。
【００１４】
基礎技術（３）サイホン管型揚水式アクアリウム装置
（図５）サイホン管型揚水式アクアリウム装置（前面図）
この例は、サイホン管を真空にする仕組みを装備したサイホン管型揚水式式アクアリウム装置である。
２台の水槽容器と、２本のパイプ状水路と、密閉された貯水室と、排気装置と、循環ポンプで構成されるサイホン管型揚水式アクアリウム。
サイホン管の一部が密閉された貯水室として進化した。
貯水室の上部に排気機構はあるが、しかし給餌機構は存在しない。
【００１５】
２個の水槽（５２１、５２２）と、
２本の水路（５３１、５３２）と、
１個の貯水室（５４０）があり、
水路５３１は、水槽５２１と貯水室５４０を連結し、
水路５３２は、貯水室５４０と水槽５２２を連結している。
貯水室５４０は、
水槽（５２１、５２２）の水面レベルよりは高く、１０メートルよりは低い空中に設置される。
さらに水流ポンプ５４８は、
２つの水槽を連結し、水槽５２２の水を汲出し、水槽５２１に移すように接続されている。
【００１６】
また、貯水室５４０の上部には真空ポンプ５４５が搭載されており、貯水室５４０を満たしている残留空気５４２を吸い出すことができる。
先ず、真空ポンプ５４５を稼働させて、残留空気５４２を排出する。
すると貯水５３３が水槽（５２１、５２２）の方から水路（５３１、５３２）を通って貯水室５４０の方に上がって来て、貯水室は水５４１で満たされる。
【００１７】
これが、水で満たされたサイホン管型揚水式アクアリウム装置５２０である。
しかし、水の循環は未だ起こっていない。
この時点で、飼育したい魚、鑑賞したい魚を水槽（５２１，５２２）に入れたとしても、このままでは、何も起こらない。
魚たちは、決して貯水室５４０に泳いで行こうとはしない。
【００１８】
更に、水流ポンプ５４８は、
水槽５２２の水を汲出し、水槽５２１に移すよう連結されているので、
水流ポンプ４８を作動させると、水槽５２１の水面レベルと水槽５２２の水面レベルには水位差５２５が生じる。
すると、この水位差５２５を無くすような水流（水槽５２１→水路５３１→貯水室５４０→水路５３２→水槽５２２）が発生し、水の循環が始まる。
これが、水が循環するサイホン管型揚水式アクアリウム装置５２０である。
【００１９】
この時点で、飼育したい魚、鑑賞したい魚を水槽に入れたとしても、
気まぐれな魚が水路から貯水室５４０に希に行くことがある程度である。
鑑賞用の水槽としては、何も面白いことは起こらない。
飼育者は、それ以上に厄介な問題、水路と貯水室の壁に発生する苔の問題に悩まされる。
悪いことに、サイホン管型揚水式アクアリウム装置では、水路も貯水室も密閉されているため、掃除道具を入れることができないので掃除をすることができないのである。
【００２０】
基礎技術（４）複雑なサイホン管型揚水式アクアリウム装置
（図６）
複雑なサイホン管型揚水式アクアリウム装置の実施例。
この例では、２セットのサイホン管型揚水式アクアリウム装置が直列に接続されている。
まず、水路で連結されたサイホン管型揚水式アクアリウム装置１００の仕組みを説明する。
水棲生物を入れる水槽１１０と水槽１２０が同じ高さの床の上にあって、それは十分な水で満たされている。
そして排気装置３１１と給餌装置３１２を装備した貯水室３１０が、床から1メートル程度の位置にあり、
同様に
貯水室３２０が更に高い２メートルほどの位置に設置されてあり、その上部には排気装置３２１と給餌装置３２２が装備されている。
【００２１】
水路は、その内部の水が大気に曝さらされず大気の圧力を直接受けない筒状の硬いパイプであり、材質は、透明なアクリル樹脂やガラスなどでできた管体である。
水路２１０は、水槽１１０と貯水室３１０を連結している。
この実施例では、水路２１０は、水平方向だけでなく、垂直方向に数メートル下がり、水平方向に数メートル、再度、垂直に元の高さまで数メートル上がって貯水室３１０に接続されている。
【００２２】
水路２２０は、同様に貯水室３１０と貯水室３２０を連結している。
水路２３０は、同様に貯水室３２０と水槽１２０を連結している。
水流ポンプ４１０は、水槽１２０から水槽１１０の方向への水流を発生させている。
【００２３】
ステップ１
排気装置によって、貯水室（３１０、３２０）内部の残留空気を、排気用固定弁（３１１、３２１）から外部に排出する。
貯水室内部が減圧されると、貯水室（３１０、３２０）内部の空気圧と、水槽（１１０、１２０）の水面を押し下げる大気圧１１５、１２５との気圧差によって、水槽（１１０、１２０）に貯められた水（１１３、１２３）が、前記の水路２１０、２３０、２２０に導かれる。
【００２４】
更に内部気圧を下げていき、貯水（１１３、１２３）を水面レベルより高い位置の貯水室（３１０、３２０）に導き、貯水室内部が水で満たされると、静止した水で満たされたサイホン管型揚水式アクアリウム装置１００が形作られる。
この水は、水槽（１１０、１２０）に貯水されていた水（１１３，１２３）が大気圧で押し上げられたものである。
【００２５】
もし、貯水室の空気を抜かず貯水室が水で満たされない状態で、誤ってポンプ４１０を稼働させると、水槽１２０の水は、水槽１１０に送られ、水槽１１０の水位は上昇し、ついにはオーバーフローし水槽１１０からあふれ出てしまうという事態になる。
【００２６】
ステップ２
次に、水流ポンプ４１０を稼働させて水流を発生させる段階を説明する。
水流ポンプ４１０を稼働させ、
その圧力で、水槽１２０の水１２３を別の水槽１１０に移送し、水槽１１０の水面レベル１１４と水槽１２の水面レベル１２４の間に水位差１３０を発生させる。  
すると、サイホンの原理により、水位を同一に保とうとする力が発生し、静止した水は動きを与えられ、水路２１０→２２０→２３０の方向に流れる水流が発生する。
【００２７】
水流は、水流ポンプ４１０→上流域水槽１１０→水路２１０→水路２２０→水路２３０→下流域水槽１２０→流水ポンプ４１０へと流れ、水が循環するサイホン管型揚水式アクアリウム装置１００が実現される。
つまり、川のように水が流れ始めたわけである。
【００２８】
ここで注意すべきことは、水槽１１０と水槽１２０は、床の上に置かれていて高さは同じにされている。しかし、貯水室３１０は水槽より高い位置に置かれており、貯水室３２０は、それより更に高い場所に置かれていることである。
ただし、貯水室の位置は水面（１１４．１２４）からの高さが１０.６メートル以下でなければならない。
【００２９】
水路２１０のように水面より低くても問題なく水は循環する。
【００３０】
このように、水は、高い位置に設置された貯水室（３１０、３２０）であろうと、大気圧の力で水が押し上げられる。  
さらに、水流ポンプの力で、水が循環するサイホン管型揚水式アクアリウム装置１００を実現することができるのである。
【００３１】
ステップ３
次に、空中給餌装置について説明する。
給餌装置３１４は、漏斗状容器と開閉コックで構成されている。
餌３５０を漏斗状容器の上から注ぎ、その後で水３６０を注ぎ、餌を水に溶かせて液状化しておく、開閉コックを開閉する操作で、液状化した餌を大気圧の力で貯水室３１０まで送り込むことができる。  通常、餌はフレーク状や粉状である。  そのままの状態では、餌と一緒に大量の空気が入ってしまう。  液状化することで空気の侵入を阻止できるのである。
大量の空気の侵入は、それよりも大きな問題、水の氾濫という事故を引き起こす。
そこで本発明は空中給餌を成功させるために餌を液状化するという方法を採用しこの問題を解決した。
【００３２】
このように液状化されることにより、餌３１４は、水流に乗って水路２２０、水路２３０を流れることになる。
この水路を流れる餌が、魚の学習、魚の調教という意味で大事な役割を果たすことになる。
【００３３】
管理者は、流れる餌を使って、魚たちを空中生活に慣れさせる必要である。
【００３４】
ステップ４
このように、揚水式アクアリウム装置は、流れる餌を積極的に使うことにより
水槽の水面レベルより低い場所に居る水棲動物を、水槽より高い空中の水路の方へと誘い出し、更に続く、空中の貯水室へと誘って、他の水槽、そして元の水槽へと遊泳移動させ、空中生活を体験学習させることができる。
【００３５】
このような、体験学習によって、魚たちは、空中を怖がらずに、自らの意思で水槽から水路へ、他の水槽へ、他の貯水室へと、自由な周遊移動行動を行なうようになる。
水路を流れる餌が、魚の学習、魚の調教という意味で大事な役割を果たすのである。
【００３６】
魚たちは、ふつうの状態では、水路を通りたがらない。
水路は、透明な材質のアクリル樹脂などの空洞のパイプであり、空中を走っている。
パイプ内部の魚から外部は丸見えの状態、もちろん外部から魚は丸見えである。
そんな空中のさらけ出された場所には、逃げる所も隠れる所もない。
自己防衛本能と恐怖心から、魚たちは決してこの空中水路を通ろうとしない。
【００３７】
しかし、魚たちは、流れる餌、動く餌を目で見て、餌の匂いを感じて、餌に惹きつけられ、水路へと泳ぎ、貯水室へとたどり着くのである。
このようにして魚たちは、餌に誘導されて、空中生活を体験することになり、徐々に空中生活になれていく。
そして、水路の中には水の流れがあること、下流と上流があること、水の流れてくる上流に餌場があること、を学習することになる。
【００３８】
飼育者は、流れる餌を使って魚たちに空中の餌場の場所、さらけだされた空中が怖くないことを教えることができるのである。
つまりこのことは、空中給餌装置は、魚たちに学習させる装置、飼育装置として使えることを示している。
【００３９】
一般に動物は、動くものに興味を示す。
本発明で採用した学習の考え方は、「流れる水に乗って動く餌」を積極的に使い、魚たちに恐怖心を忘れさせ、空中の餌場へ誘導するというものである。
【００４０】
透明パイプや透明な貯水室が、安全であることを学習して怖がらなくなった魚たちを見て、それまで怖がっていた魚たちも同じ行動をとるようになるのである。
【００４１】
1匹が通れば、他の魚も怖がらない行動をするようになるのである。
【発明の概要】
【００４２】
本発明は、以下の２つに分類される。
（１）揚水式アクアリウム装置の実現に必要な要素技術
・着脱式排気弁、開閉コック付き着脱式排気弁受部
・空気侵入防止用フタ
・貯水室内部に作られた残留空気室
・タワー型揚水式空中アクアリウム装置
・高層ビル型揚水式空中アクアリウム装置
・掃除が自動化されたタワー型酸素供給装置
・タワー型カルキ抜き装置ユニット
・エスカレータ型揚水式空中アクアリウム装置
・サイホンブリッジ式水平連携水路装置
【００４３】
（２）分散統合型アクアリウムの実現に必要な基盤に実装される各種装置ユニット群
および、その中核の「揚水式エレベータ技術」
（２−１）各種装置ユニット群は、
以下のディスプレイ装置や、カルキ抜き装置、清掃掃除装置などの装置ユニット
・ブリッジ型アクアリウム装置
・ブリッジ型ディスプレイ装置
・薄型TV型ディスプレイ装置
・タワー型ディスプレイ装置
・高層ビル型ディスプレイ装置
・垂直連携エレベータ型ディスプレイ装置
・エスカレータ型ディスプレイ装置
・タンク装置
・カルキ抜き装置
・清掃掃除補助装置
・水交換自動化装置
・照明装置
・タワー型酸素供給装置
・平型酸素供給装置
【００４４】
（２−２）分散統合型アクアリウム実装基盤装置とは、
２階部：→  垂直連携水槽  ＋  ソケット水槽１  ＋  ソケット水槽２  ＋  落水路
１階部：→  垂直連携水槽  ＋  ソケット水槽１  ＋  ソケット水槽２  ＋  排水路
ソケット水槽（３０ｃｍ）
ソケット水槽（６０ｃｍ）
ソケット水槽（９０ｃｍ）
ソケット水槽（１２０ｃｍ）
水平連携水路（サイホン式ブリッジ装置）
垂直連携水路（水門付き揚水式エレベータ装置）
垂直連携排水路（垂直落水路）
落水路
排水路
水槽台（１００ｃｍ水槽キャビネット）
水槽台（８０ｃｍ水槽キャビネット）
水槽台（６０ｃｍ水槽キャビネット）
水槽台（４０ｃｍ水槽キャビネット）
水槽台（２０ｃｍ水槽キャビネット）
【００４５】
上記の各種装置ユニットを、ソケット水槽が水平垂直統合する水槽基盤にプラグイン実装してアクアリウムを実現するプラットフォーム技術である。
【００４６】
この発明は、 “装置ユニット”というコンポーネント化した装置ユニットを、“装置ソケット”という階層基盤に、プラグインし、実装される分散型アクアリウム装置を実現する新技術である。
【発明が解決しようとする課題】
【００４７】
課題（１）  「水位差」「高低差」の問題
【００４８】
いまここに、2つの水槽があり、水槽Aは水槽台の上にあり、水槽Bは床の上にあるとする。
【００４９】
２つの水槽をつなぐと、サイホンの原理により、水は移動し、2つの水槽の水面レベルは同じになる。
【００５０】
もし、水槽AとBの水位差が10センチの場合、水面レベルは同じになるだけ。  
【００５１】
もし、水位差が50センチも違えば、水槽Aは空になり、水槽Bは溢れてしまうかもしれない。
【００５２】
つまり、水面レベルが、大きく違う水槽AとBは、接続してはならない。
水槽台の上と下の水槽のように落差が１メートルもあれば、繋ぐことは危険である。
【００５３】
もちろん、魚は水流ポンプの中を泳がせることはできない。  
そこを魚は通ることはできない。
魚が泳いで移動できる道「魚道」は、それがパイプであれば直径と流速の条件を満たす必要がある。
【００５４】
また、水槽は、水槽台の上に置かれることもあるし、大きな水槽の場合には、床に直におかれることが多い。
【００５５】
もし、水槽台の上の水槽と、床の上の水槽とを、何らかの方法で接続することが出来れば、魚たちの行動範囲は更に広がり、生き生きしたもっと珍しい姿を見ることが出来るはずである。
【００５６】
自然界に住む魚たちは、川の上流から下流まで、行きたいところへ泳いでいくことが出来る。
しかし、水槽で飼われている魚は、行動範囲が制限され、そこに自由はない。  
多くの場合、魚の居住スペースは、狭い水槽内だけに限られる。
【００５７】
池の中を優雅に泳ぐ錦鯉などは、常に視線より低い位置を泳ぐ。低い位置を泳ぐ姿を上からしか見ることがない。それが当たり前になっている。
視線より高い位置、下から上へと登る姿を下から見てみたいものである。
【００５８】
課題（２）  水の供給と排水
サイホン式立体構造物への水供給と排水処理の方法（給排水手段）：  
（図５）（図６）（図７）
【００５９】
管理者が、バケツ容器でカルキ抜きした水を、サイホンホースなどで水槽AとBに注ぎ込むしか方法は無い。  しかし、サイホン管部分を水で満たすのは難しい作業であり、ミスをすると、いっきに水が上の貯水室から下の水槽まで落ちてしまい、氾濫を起こし、床を水浸しにすることになる。（落水事故）
落水事故なく、作業するには、
まず、大きなバケツにカルキ抜きした水を用意し、
水槽AとBの両方にバランスよく水を供給しながら、
排気装置を稼働させ、サイホン管の中の空気を抜いて減圧し、
水槽AとBの水を、水路へ、そして貯水室へと揚水していく。  
その途中で水槽の水が不足したら、更に補給することを繰り返し行い、
徐々に貯水室を満水状態にもっていく。
この補給と揚水を繰り返し行うことで、サイホン管の満水化は完了する。
【００６０】
その後の水交換：
大きなバケツにカルキ抜きした水を用意し、
その水を水槽に補給し、
水槽からオーバーフローする水をバケツで受けて、外部に捨てる。
このような、初期給水と、その後の水交換は、多大な時間と労力を要する作業となる。
【００６１】
課題（４）魚投入と回収（魚の投入回収手段）：  
（図５）（図６）（図７）
通常の水槽の場合、魚の投入回収は、網ですくって他の容器へ移し替えるだけである。
【００６２】
しかし、サイホン式立体構造アクアリウムの場合には、そう単純ではない。
サイホン管を構成する、貯水室や閉水路の内部で魚が弱ったり、死んだり、水草が詰まったりすることもある。
サイホン式立体構造とは、基本的な構造は、“管”であり、その扱いは容易ではない。
魚たちは、餌を求めて立体構造物の水路や貯水室、様々な場所に泳いで行くので、取り出す場所は、サイホン管の両端に限られる。
従って管の途中に居る魚は、管の両端部、水槽の所まで誘導して下ろす必要がある。これは至難の業である。  
回収に長い時間がかかり、構造によっては、取り出しが不可能になる。
【００６３】
課題（５）  サイホン管内のコケ掃除  サイホン管式空中アクアリウム装置の問題
（図５）（図６）（図７）
水槽の苔、水垢の掃除をどのように行なうか、これは大問題である。
水槽の掃除、とくにガラス面に付く苔や水垢の掃除は面倒な作業であり、保守管理者を悩ませる。
【００６４】
最低でも毎月一回以上は、掃除を行なわないと水槽内面に苔が付着してしまう。
苔や水垢の問題は、サイホン管式アクアリウムにとっては致命傷となる。
パイプや貯水室など閉空間の掃除は人手では不可能であり、掃除ができないことは実用化が出来ないことを意味する。
【００６５】
課題（６）  水の氾濫事故
（図５）（図６）（図７）
構造物の微細な穴から空気が入ったり、また、給餌装置のコックの開閉操作を誤ってしまったり、不測の事態や操作ミスで、揚水した水が落ちてしまうと、水の循環が止まる。
そんな場合でも循環装置は働き続け、水槽から水が氾濫し、最悪の場合にはフロアーの床が水浸しになるような事故に発展する。
想定外の事態が起こったら、それを検知し、循環ポンプは作動を停止する安全装置が必要である。
【００６６】
課題（７）  耐震性、構造物の強度
（図５）（図６）（図７）
立体構造アクアリウム装置は、単なる四角い水の箱ではなく、水槽と貯水室と水路の組み合わさった、空中に構築された立体構造物である。
【００６７】
貯水室や閉水路は、真空ポンプで減圧し、真空に近い状態に保たれている。  
また、常に大気圧の力にさらされている。
構造物は、大気圧と水圧の両方に耐える強度設計が求められる。
それに加えて、突然に起こる地震への耐震性、想定外の衝撃への耐久性も必要となる。
これら、構造物の強度と、インテリアとしての美的デザイン性との両立が図られなければならない。
【００６８】
課題（８）  空中給餌の難しさ  空中アクアリウム装置
（図５）（図６）（図７）
空中アクアリウム装置は、空中での餌やりの難しさが課題として残っている。
給餌装置は、漏斗状の餌受容器と、その下部に回転式開閉コックで構成される。
【００６９】
回転式開閉コックは、通常時は“閉”状態にあり、餌を与えるときだけ、コックを回転させて“開”状態にする。  時間にして１秒間ほどの短時間に、液状化した餌を内部に流し込む仕組みになっている。  しかし、この構造では、コックの開閉操作が非常に難しい。
【００７０】
開閉コックは、通常時は“閉”状態にある
（１）餌を容器に入れる
（２）水を注いで、餌を液状にする
（３）その後、瞬間、コックを“開”状態にして、
（４）すぐに、コックを“閉”状態に戻す。
このような、俊敏な開閉操作が求められる。
【００７１】
開閉操作を誤ると大量の空気が貯水室の内部に侵入してしまい、揚水された貯水室の内部の水は、瞬く間に水槽まで落ちてしまう。  これは、落水事故であり、水の氾濫に繋がる。
このように、餌やり作業は、大きな危険を抱えている。
【００７２】
課題（９）  既存の水槽には取り付けられない、サイホン式立体構造アクアリウム
（図１）
既存の水槽に、容易にはめ込んで使えるものが欲しい。
以上述べた課題を箇条書きにすると、下記のようになる。
【００７３】
（１）水作りに始まり給水・排水・水流循環そして水交換に至るまでの様々な課題
水流作りと、その自動化
水のカルキ抜きと、その自動化
水の濾過と、その自動化
【００７４】
（２）魚の投入・誘導・魚の取り出し
空中給餌の課題
【００７５】
（３）アクアリウムのトラブル
水の氾濫という課題
【００７６】
（４）アクアリウムの構造物の課題
構造物の形状と強度
→  水槽容器内部に、構造物基礎部が設けられ、上の重量物を支える構造
→  構造物基礎部に設けられる、開口部が強度と魚の投入取り出しを両立
【００７７】
（５）構造物の分解・組立・可搬性に関する課題
凹容器と凸容器に分解、組立
リソースのコンポーネント化
【００７８】
（６）構造物のスペース効率の課題
家庭・オフィスや店舗にも設置できるコンパクトさ、大きさ
階層化レイアウト技術が、スペース効率を改善する
【００７９】
（７）構造物の清掃掃除が非常に困難
基本的にサイホン管、管体であり、そこに付着する苔や水垢の除去が困難
【課題を解決するための手段】
【００８０】
（１）解決手段の機械化・自動化・省力化
【００８１】
解決手段を機械化（装置化）し、さらに自動化し、省力化する。
【００８２】
種々の装置ユニット
【００８３】
・揚水式空中アクアリウム装置ユニット
アクアリウムのデザイン性・可視性・ビジュアル性を革新する新水槽技術を実装した装置
→デザイン性
→四角い水槽を卒業する技術
→可視化ビジュアライズ技術と装置
→レイアウト・展示・ディスプレイ技術と装置
レイアウト技術と装置
→  部品化・コンポーネント化
→  ディスプレイ技術と装置
→  タワー型
→  高層ビル型
→  揚水装置とディスプレイ装置
→  照明技術と装置
→  展示台・展示キャビネット
【００８４】
・清掃掃除自動化装置（ユニット）
【００８５】
・酸素供給自動化装置（ユニット）
薬剤を使用しない、低効率な単純構造が特徴
→  タワー型（グッドデザインで効率的）
→  フラット型（非効率だが安全）
【００８６】
・水替え自動化装置（ユニット）
→  カルキ抜き装置と落水技術で垂直連携
→  排水装置、循環装置と組み合わせ
→  インフラ基盤に組込み実現
→  非効率なカルキ抜き自動化装置であっても、
→  水交換は急がない、十分な時間が与えられるので
→  非効率的方法で実現
→  同時に酸素供給
【００８７】
・水濾過技術装置（ユニット化され市販）
【００８８】
・水温制御技術と装置
【００８９】
・氾濫制御技術と装置
【００９０】
・排水制御技術と装置
【００９１】
・プーリング技術と装置
【００９２】
・バッファプール
【００９３】
手段（２）揚水式空中アクアリウム装置
本発明による改善点
【００９４】
手段（３）構造物基礎部
構造物基礎部とブリッジ部から成り、
構造物基礎部の
水槽と、
構造物支持台と、
開口部と
貫通孔と
排水穴を具備する構成が特徴
効果   貯水を確保
魚道・水道を確保
氾濫を阻止する
水平連携貫通穴・排水穴を具備
【００９５】
手段（４）排気装置
着脱式排気弁
排気口を遮断する開閉コックが特徴
稼働時でも交換可能
長寿命を確保
【００９６】
手段（５）空中給餌を安全に行なうための可動フタ
空気の侵入を阻止する可動フタと開閉コックを連携操作することにより、空中の高い位置での安全な餌やりを可能にする可動式給餌フタ
【００９７】
手段（6）角度の微調整で排水水位を微調整することが出来る排水装置
角度の微調整
【００９８】
手段（７）貯水室に残留空気室
排気の際に空気が残留する構造
給餌の際に入ってきた空気が残留
完全排気が、敢えて、できない構造
【００９９】
手段（８）既存水槽への設置を容易に行なう構造
既存水槽のリソースをそのまま使用できる効果あり
立脚自立する構造物基礎部
側面に開口部が設けられていることが特徴
【０１００】
手段（９）分散統合型アクアリウム実装基盤装置
（図２）
分散する装置ユニットをアクアリウム基盤の上で、統合連携し実装する技術
【０１０１】
種々の装置ユニット
（１）ディスプレイ装置ユニット
（２）自己清掃掃除装置ユニット
（３）給水装置ユニット
（４）排水装置ユニット
（５）酸素供給装置ユニット
（６）水温制御装置ユニット
（７）浄水装置ユニット
（８）水交換装置ユニット
（９）照明装置ユニット
【０１０２】
（A）階層化アーキテクチャ  階層型循環水流装置（水平循環と垂直連携）
高低差のある2つの水流系、下段の水平循環水流系１と、上段の水平循環水流系２を、中段の垂直連携水流系の“揚水ポンプ”と“水位差エレベータ”を使い“垂直連携”し、垂直統合することで、下段1階部から上段2階部への、水流（水供給）と魚道（魚移動）を可能にする。
【０１０３】
（B）階層化アーキテクチャの図式化  階層型循環水流装置
【０１０４】
上段：  ２階部水流系：        2階部連携水槽２  →→  2階部循環水流
↑      ↑            ↑    ↓  ↓
↑      ↑揚水          ←←    ↓
↑      ↑                    落↓
中段：  垂直連携水流系：    エレベータ  揚水ポンプ            水↓
↑      ↑                      ↓
↑      ↑揚水                  ↓
↑      ↑                      ↓
下段：  １階部水流系：        1階部連携水槽１  ←←  1階部循環水流→→→
↑    ↓        排水
←←          
【０１０５】
揚水ポンプが、
高低差のある2つの水流系、１階部水流系の水槽１から、２階部水流系の水槽２への水流（水供給）を作り出す。また、
揚水式エレベータが、
高低差のある2つの水流系、１階部水流系の水槽１から、２階部水流系の水槽２への、魚たちの双方向通行を可能にする。
【０１０６】
１階部水流系は、揚水式エレベータと、１階部の３つの水槽で構成される
循環装置１が、１階部循環水流を作り出す
循環装置１→連携水槽１→１階部水槽A→２階部水槽B→循環装置２
【０１０７】
２階部水流系は、揚水式エレベータと、２階部の３つの水槽で構成される
循環装置２が、１階部循環水流を作り出す
【０１０８】
循環装置２→連携水槽２→２階部水槽A→２階部水槽B→循環装置２
【発明の効果】
【０１０９】
１．分散統合型アクアリウム実装基盤装置による効果
【０１１０】
（１）水槽のレイアウトが自由にでき、表現力豊かなアクアリウムを手軽に実現
インテリアのようなデザイン性に優れた、様々なディスプレイ形態が選択できるので、四角い水槽ではできなかった、ファッションショーのランウェイのようなアクアリウムでも簡単に実現できる。
薄型TV画面ディスプレイ装置
タワー型ディスプレイ装置
垂直連携エレベータ型ディスプレイ装置
高層ビル型ディスプレイ装置
エスカレータ型ディスプレイ装置
【０１１１】
（２）「網で掬われて」運ばれる移動
垂直連携エレベータが、自力での水槽移動を可能にした。
従来は、魚は、ほかの水槽に移動するときは、いつでも網ですくわれて移動されるしか方法は無かった。
新技術では、
（A）魚たちは、テーブル下の水槽から、テーブル上の水槽まででも、自力で移動ができるようになった。
（B）魚たちは、建物の1階部から2階部への自力での移動ができるようになった。
（C）魚たちは、外の池から建物の中の、リビングルームまで自力で移動できるようになった。
【０１１２】
（３）不可能と思われた「パイプの掃除」を可能に
立体的で複雑な構造となったサイホン管内部は、掃除不能なため、実用化は無理だと思われていたが、水温管理と掃除屋控室の発明は、魚たち自身に掃除させるアイデアを実用化することができた。
【０１１３】
（４）煩わしい作業「水槽の水交換」を自動化
カルキ抜き作業を自動化し、コックを捻るだけで、あとは
【０１１４】
２．その他の効果
【０１１５】
効果１ 鑑賞者のメリット
【０１１６】
（１）感動・驚き・美しい・様々な魚たちの行動シーンを目の前で見ること
視線より高いタワー型アクアリウムや、視線より低い垂れ下がり型アクアリウムを作ることが出来るから
魚たちの自然の姿と行動を観察できるようになる
普通には見かけることのない、魚たちの行動を見ることが出来る。
急上昇するシーン
高い位置を泳ぐシーン
深く潜水するシーン
広い場所を全速力で泳いでいるシーン
普通には見かけることのない、魚たちの行動の例である。
高さ150cm程の筒状のパイプの中を、上方向に泳いで昇る姿、下方向に急降下で潜水する姿。
【０１１７】
（２）鑑賞者の視線から見える様々なシーンを、様々なディスプレイ装置で眺める
この水槽は、床の上に直に置いても、鑑賞者の視線の高さで繰り広げられる珍しい行動を見ることが出来る。
薄型TV型ディスプレイ装置
タワー型ディスプレイ装置
垂直連携エレベータ型ディスプレイ装置
高層ビル型ディスプレイ装置
エスカレータ型ディスプレイ装置
【０１１８】
効果２  水棲生物、生体、魚たちにとってのメリット
【０１１９】
分散統合型アクアリウムのメリットは、
【０１２０】
（１）魚たちの行動範囲が、垂直方向にも、水平方向にも格段に広がった
高低差のある複数の水流系を繋ぐ、揚水式エレベータと呼ぶ技術で、水位差のある、異なる水流系の間に魚道を作ることを可能にした。  この技術により、魚たちの行動範囲を、水位差の大きい水流系にまで拡大することができた。
【０１２１】
（２）従来の水槽に比べると格段に長い距離を全速力で遊泳できる。
【０１２２】
（３）水には流れがあって、変化に富んだ水槽が設置できる
魚たちは、好きな水槽を選んでそこに移動できるので、自由度が大きい、自然の川や池や湖沼に近い環境で生活ができるようになる。
【０１２３】
（４）従来の水槽のモーターの近くでの嫌な振動や音から逃れることができる。
従って、ストレスが格段に少ない快適なアクアリウムで生活できるようになる。
【０１２４】
効果３ 巨大さを追求するアクアリウムからの脱却
（１）費用の削減、運用保守要員の削減
従来技術のアクアリウムは、魚が遊泳移動できる範囲は、四角い水槽空間に限定され、たとえ数台の水槽が接続されていたとしても、その接続された四角い水槽の中を水平方向に遊泳移動する程度であった。
そのため水族館は、来場者に驚きと感動を与えるために、ひたすら巨大な構造物にすることを目指した。
【０１２５】
（２）サイズは家庭用の小さなものから水族館で使える大きな構造物にまで適用できるものである。
本発明の技術は、垂直方向により高くより深く、水平方向に長く広く、自由自在に泳ぐアクアリウムを可能にした。  
【０１２６】
（３）サイホン式であるため、軽量で薄型に実現できるので、魚の移動可能域が高さ方向にも、水深方向にも飛躍的に広がった。
【０１２７】
効果４  安全性
【０１２８】
（１）頑丈で安定感のある構造物を実現できる
立体構造アクアリウムの基礎部分の強化構造、サイホン管構造による軽量化により、地震や運搬の揺れや衝撃に耐える、安全性・安定性に優れる大面積ディスプレイを実現することができる。
【０１２９】
効果５  管理者のメリット
【０１３０】
（１）水槽掃除は、立体的で複雑なサイホン管内部であっても安全に簡単にできる。
ブリッジディスプレイ式循環水流アクアリウム装置導入の最大の障害、手の届かないブリッジディスプレイ装置の苔掃除の大問題も見事に解決される。
運用保守者は、煩わしい水槽掃除から解放されるため、専任の保守管理者が不要となり、経費節減となる。
【０１３１】
（２）フィルター掃除の回数が激減させることができる
餌場を最上流域に作ることにより、魚たちは、最下流地点までの広い流域で餌が食べられるので、食べ残しを減らすことができる。  そのため、最下流部の循環ポンプの吸い込み口から、ポンプの中に取り込まれる餌の量を極端に減らすことが出来る。
ポンプの中に取り込まれる餌の量が減るのでフィルターを汚す原因が少なくなるので、管理者は、フィルター掃除の回数を減らすことが出来るようになる。
フィルター掃除という負担が大きく減少する。
【０１３２】
（３）餌やりが安全に簡単に
可動フタの採用で、高い位置での空中給餌は、気圧の低い貯水室に餌を注入する作業であるが、安全に簡単にできるようになった。
【０１３３】
（４）水の追加・交換
分散統合型アクアリウム基盤装置は、水道コックを捻るだけの簡単操作と、カルキ抜き作業と、外部への排水、の作業を自動化した。
薬剤の使用なしにできるようになった。
【０１３４】
効果６  設備の導入者のメリット
【０１３５】
（１）多様なレイアウト、デザイン性に優れたアクアリウム
机上、床の上、棚の上、壁際に寄せて、など様々な場所に容易に設置できる。
床の上への設置、テーブル机の上への設置のように高さが異なる場所への設置が可能になっただけでなく、魚たちを網ですくうことなしに、遊泳移動させることが出来るようになった。
【０１３６】
（２）インテリアにもなるデザイン性に優れたアクアリウム
インテリアのようなデザイン性に優れた、様々なディスプレイ形態が選択できるので、ファッションショーのランウェイのようなアクアリウムを実現できる。
薄型TV画面ディスプレイ装置
タワー型ディスプレイ装置
垂直連携エレベータ型ディスプレイ装置
高層ビル型ディスプレイ装置
透明なアクリル樹脂製のボックスやパイプを組み合わせ、その中の水を循環させ、遊泳する魚たちを視線の高さで鑑賞することができる。
【０１３７】
効果７  搬送・組立・分解が容易に
【０１３８】
（１）コンポーネント化
分散型アクアリウムは、コンポーネント化技術であり、重厚長大なアクアリウムの、運搬・組立・分解作業は、非常に簡単に短時間でできるようになった。
【０１３９】
従来のアクアリウム装置での課題・導入を阻害していた要因
（１）水の氾濫などの安全性
（２）煩わしい水槽掃除
（３）定期的な水交換
（４）設置スペース
（５）導入費用・運用保守費用
【０１４０】
本発明の技術により、
（１）アクアリウムの安全性は各段に高くなった。  更に、
（２）保守管理者は、煩わしい水槽掃除から解放され、
（３）自動的な水交換装置により、定期的な水交換から解放され、また、
（４）設置スペースは、垂直方向に伸ばすことができるようになったので縮小でき、
（５）導入費・運用保守費用は、外部の管理業者と契約し運用管理を委託する必要もなくなったので、大幅に節減できる。
【０１４１】
アクアリウム装置と観葉植物などと一緒に並べておくことにより、癒しのオアシス空間となり、オフィス用、店舗用として、集客装置としての用途が期待できる。
【図面の簡単な説明】
【０１４２】
【図１】ブリッジ型揚水式空中アクアリウム装置の実施例  （前面図）揚水式空中アクアリウム装置の実施形態の１つ、自立できることが特徴。
【図２】分散統合型アクアリウム基盤装置の実施例１（前面図）
【０１４３】
「分散するリソースの水平統合・垂直統合技術」の実施形態２  サイホン式
アクアリウムのリソースをサイホン式揚水エレベータ技術によって実際に垂直統合した例
【０１４４】
【図３】水槽ソケットの発明の実施例（前面図）この実施例は、水槽ソケットの発明「分散統合型アクアリウム実装基盤装置」の１実施形態である。この例では、使用可能な水槽ソケットは、全部で６槽あり、そのうちの1個の２階部水槽ソケット２１に、高層ビル型装置ユニットを実装し、他の2槽に垂直連携エレベータを実装し、他の1槽に給水装置を実装し、残った２槽は「単なる水槽」として使った例である。
【０１４５】
【図４】四角い単純水槽、サイホンの平衡原理
【０１４６】
（A）単純水槽装置（前面図）
何の機能もない四角い水槽、装置とは呼べない単純な水槽容器。
【０１４７】
（B）サイホンの原理、サイホンの平衡原理（前面図）
サイホンの原理を説明する図。
【０１４８】
【図５】排気装置付きサイホン管型揚水式アクアリウム装置（前面図）サイホン管を真空にする仕組みを装備した、サイホン管型揚水式アクアリウム装置。貯水室の上部に排気機構はあるが、給餌機構はまだ存在しない。
【０１４９】
【図６】複雑なサイホン管型揚水式アクアリウム装置（前面図）アクアリウム装置としての基礎構造が存在しいため、構造物として自立できないアクアリウムを説明する図。
【０１５０】
【図７】ブリッジ型アクアリウムのディスプレイ装置（前面図）ブリッジ式ディスプレイ部が独立しており、既存の水槽と組み合わせて使える利点がある。しかし、水槽基礎部に固定されていないため、地震などで転倒する恐れがある。
【０１５１】
【図８】残留空気室、着脱式排気弁付き排気装置、フタ付き漏斗状給餌装置（前面図）この図は、着脱式排気弁付き排気装（図９）の実際の実施例、フタ付き漏斗状給餌装置（図１０）の実際の実施例、さらに、残留空気室（図１１）の実施例でもある。
【０１５２】
【図９】着脱式排気弁、着脱式排気弁受部（前面図）排気口を密閉する開閉コック式排気口。着脱式排気弁。運用稼働中でも排気弁を交換できることが特徴。回転式開閉コックは、密閉性が高く、耐久性に優れる。耐久性密閉性が向上。
【０１５３】
【図１０】漏斗状給餌容器、空気侵入防止用フタ（前面図）（a）フタなし給餌機構を表わす図 漏斗状の餌受容器と、その下部に回転式開閉コックが付いている
【０１５４】
（ｂ）可動フタが半開きの状態の開閉フタ付き給餌機構を表わす図
可動フタは、漏斗状容器の上部の蝶番で開閉可能に固定されている
漏斗状の餌受容器と、その下部に回転式開閉コックが付いている    
【０１５５】
（ｃ）可動フタが全開きの状態の開閉フタ付き給餌機構を表わす図
可動フタは、漏斗状容器の上部の蝶番で開閉可能に固定されている
漏斗状の餌受容器と、その下部に回転式開閉コックが付いている    
【０１５６】
【図１１】貯水室内部に作られた残留空気室（前面図）貯水室の天井下面部に作られる空気を残留させる小部屋フタなし平箱を伏せて天井板下面部に接着固定し、小部屋を形成魚たちは、この残留空気を吸って空気袋に空気を貯える
【０１５７】
【図１２】タワー型揚水式空中アクアリウム装置ユニット（前面図）揚水式空中アクアリウム装置の実施形態２：タワー型の実施例１つの水槽容器の中にそびえ立つ２基のタワー型貯水室左側が角筒状縦型水路、右側が円筒状縦型水路縦型水路の上部に給餌装置と排気装置を装備している通常の複槽式ではなく、単槽式の非サイホン管構造
【０１５８】
【図１３】高層ビル型揚水式空中アクアリウム装置ユニット（前面図）揚水式空中アクアリウム装置の実施形態３：高層ビル型の実施例水槽容器の内部に水没した高層ビル型貯水室高層ビル型貯水室の上部に給餌装置と排気装置を装備している通常の複槽式サイホン管方式ではなく、単槽式の非サイホン構造である
【０１５９】
【図１４】揚水式エレベータによる階層構造アクアリウム装置（前面図）1階部の水槽と、2階部の水槽とが、揚水式エレベータによって垂直連携接続されることにより、階層構造アクアリウムが形成され、1階部水流系と２階部水流系とがつながり、魚たちが1階から2階へ、または2階から1階へ、自分の力で遊泳移動できるアクアリウムが実現される。  これは最小構成の揚水エレベータ式階層構造アクアリウム装置の例である。
【０１６０】
【図１５】タワー型酸素供給装置（前面図）これは、観賞魚用ディスプレイ装置として欠かすことが出来ない、タワー型酸素供給装置の実施例である。魚たちは、この空中水槽１５１０まで上がってくることが出来るので、鑑賞者は、ここで魚にさわることができ、直接、ここで餌をやることもできる。このタワー型水路や水門付き貯水室は、人手による掃除が難しい。しかし、このタワー型酸素供給装置も、掃除屋の清掃掃除範囲に加えることで、掃除屋によって常に苔ナシの綺麗な状態に保つことができることを説明する。
【０１６１】
【図１６】タワー型カルキ抜き装置ユニット（前面図）空気バブル発生器によって発生された空気泡が、水中の中を上昇する過程でカルキ成分と反応さることによって簡単かつ安全にカルキ抜きを行なう、タワー型カルキ抜き装置の実施例である。
【０１６２】
【図１７】エスカレータ型揚水式空中アクアリウム装置ユニット（前面図）これは、揚水式空中アクアリウム装置の１実施形態である、ブリッジ型揚水式アクアリウム装置の、更なる変形である。
【０１６３】
【図１８】水平連携水路装置ユニット（前面図）水路ブリッジの上部に排気装置が装備されたサイホン型水路装置。水槽と水槽を接続し水平連携を実現するために使われるブリッジ型水路装置
【０１６４】
【図１９】階層構造アクアリウムの中の魚の様子（前面図）この実施例は、魚たちが、1階部の水槽、揚水式エレベータ、2階部の水槽、水平連携用水路の中をどのように、遊泳移動するかを示すものである。
【発明を実施するための形態】
【０１６５】
実施例（１）
（図１）ブリッジ型揚水式空中アクアリウム装置ユニット
【０１６６】
この実施例は、ブリッジ型揚水式空中アクアリウム装置が、従来から課題、例えば、装置内部への水の取り込みと排水といった、給水の自動化、水の循環、空中での給餌、を安全に実現できること、鑑賞用水槽としてディスプレイ性能が向上することを説明する。
【０１６７】
ブリッジ型空中アクアリウム装置は、
上流部水槽容器６３００と、下流部水槽容器６４００と、縦型筒状水路５１０と、縦型筒状水路６５２０と、構造物支持台６３１０と、構造物支持台６４１０と、上部に給餌装置と排気装置を装備する貯水室６６００と、水平連携水路６１００と、排水路６９００，６９１０と、で構成される。  この実施例の構造物支持台は、フタのない容器を逆さにして台として用いている。  
【０１６８】
尚、水槽容器、筒状水路、構造物支持台、貯水室、水平連携水路は、アクリル樹脂が加工する上で都合がよい。  水槽容器、水路、貯水室は、透明で内部が外から見えるものが好ましいが、色付きアクリル樹脂にして、魚たちが隠れる場所にするのも良い。
【０１６９】
水槽容器６３００と水槽容器６４００は、互いの右側面と左側面が接着され、横長に連結される。さらに、接着された水槽境界面上部に給排水貫通孔（６４３０、６４０５）が設けられている。
この貫通孔はオーバーフローをうまく利用し、給排水を行なうための貫通孔で、極めて大事な働きをする。
同様に、水槽容器６４００の右側面上部に排水用貫通孔６９００が設けられ排水パイプ６９１０が接続され、貫通孔で給排水し、水槽容器への貯水を実現する連結水槽が形成されることになる。
【０１７０】
構造物支持台６３１０は、その２側面に開口部（６３２０，６３３０）が設けられ、同様に構造物支持台６４１０は、その２側面に開口部（６４２０、６４３０）が設けられ、連結された横長の水槽容器（６３００、６４００）の中央部に、逆さに伏せた状態で接着固定され、水槽基礎部が形成される。
【０１７１】
２本の縦型筒状水路（６５１０、６５２０）は、その上に貯水室６６００を載せて、固定され、貯水ブリッジ部を形成し、水槽基礎部の上に立てられ、固定される。
【０１７２】
このように、水槽基礎部と貯水ブリッジ部が、一体化されて、排気装置６６３０と給餌装置（６７００、６８００）を搭載したサイホンブリッジ式構造物が形成される。
全ての容器類は面接着されるので、強度的にも強く、水が入って重たくなっても自立できる立体構造容器が形成される。
【０１７３】
次に、水が如何に供給され、如何に揚水され、循環水流を如何に発生させ、持続させるか、その動作を説明する。（図２参照）
【０１７４】
右上に、本装置に類似のブリッジ型揚水式空中アクアリウム装置が形成されている。
水平連携水路７３１５により左側の循環水流系７３００から水の供給を受け、魚もこの連携水路を通って入ってくる。  水平連携水路７３１５は、給水用水路と魚道用水路として働く。
排水路７３８５は、水槽Bの排水水位を超えた水を1階部循環水流系１階部水槽７１５０に落とし、更に循環させている。  排水路７３８５は、垂直連携排水路として働いている。
【０１７５】
水槽基礎構造物の給排水孔は、以下のように動作する。（図１参照）
水平連携水路６１００を通して給水された水は、上流部水槽６３００を満たす。  その水面レベルが貫通穴６４３０のレベルに達すると、その貫通穴を通して、下流部水槽へのオーバーフロー給水が始まる。  下流部水槽６４００が満たされると、同様に排水口６９００からのオーバーフロー排水が始まる。  このように、水平連携水路６１００からの給水で水槽基礎部の上流部水槽６３００が満たされ、オーバーフロー水流により、下流部水槽６４００も満たされ、そして排水される、水平連携水流が作られる。
【０１７６】
しかし、（図２参照）この例では給排水用貫通孔（６４３０、６４０５）が設けられてないので、下流部水槽を満たすためには、別の手立てが必要になる。  灯油ポンプのような別の器具を用いて、上流部水槽の水を下流部水槽に移し替える操作をし、上流部水槽と同時に下流部水槽も満たしてやる必要がある。
このように給水用貫通孔（６４３０、６４０５）は、単なる貫通孔であるが大事な働きをする不可欠なものである。
【０１７７】
次に、（図１）排気装置を作動させ、貯水室６６００内部の空気を排気する。
貯水室の減圧が進むにつれて、上流部水槽６３００と下流部水槽６４００の水が、水路（６５１０、６５２０）へ、そして貯水室６６００へと吸い上げられていく。
このようにして基本的にはサイホン管である、ブリッジ型揚水式空中アクアリウム装置が水で満たされる。
【０１７８】
貯水室６６００が満たされたら、排気装置６６３０の動作を止める。
更に、循環装置６９５０によって、水流が発生し、ブリッジ型揚水式空中アクアリウム装置の内部を立体的に水が循環するようになる。
【０１７９】
このように、水平連携水路６１００を通して、このブリッジ型揚水式空中アクアリウム装置は、（図２参照）他の周辺装置（左側の給水装置、1階部水平循環水流装置、垂直連携水流装置、2階部循環水流装置）と連携することにより、給水から排水、そして魚の導入まで、人の手を介さずに自動的に行なうことが可能になる。
【０１８０】
実施例（２）プラグイン水槽ソケットの発明の実施例
（図３）（水圧式揚水エレベータ）
【０１８１】
（１）実施例の図面についての説明
図面の左側：  上下の水槽ソケットに揚水式エレベータを実装
揚水ポンプによる揚水式エレベータで垂直連携を実現する例
（サイホン式ではない、加圧ポンプ式エレベータの例）      
図面の右上
2階部の水槽ソケットに高層ビル型ディスプレイ装置を実装した例
図面の下半分
残った2槽の水槽ソケットを単なる水槽として利用する
【０１８２】
（２）実施例の内容
プラグイン式水槽ソケットの考え方を単純明快にする目的から、2階部ソケットに高層ビル型水槽をプラグイン実装され、稼働し循環水流が作られ、魚が遊泳するまでを説明する。
【０１８３】
このプラグイン式アクアリウムソケット基盤装置は、
【０１８４】
1階部は、
水槽ソケット８１１０と、
水平連携水路８１２０と、
水槽ソケット８１３０と、
水平連携水路８１４０と、
水槽ソケット８１５０と、
排水路８１６０と、で構成されている。
【０１８５】
２階部は、
給水ソケット８４１０と、
水槽ソケット８３１０と、
水平連携水路８３１５と、
水槽ソケット８３２０と、
落水水路８３７０と、
循環装置８３８０と、で構成されている。
【０１８６】
垂直連携装置は、
揚水式エレベータ装置ユニット８２１０であり、
【０１８７】
この揚水式エレベータ装置ユニット８２１０が
１階部垂直連携水槽ソケット８１１０と２階部垂直連携水槽ソケット８３１０とに跨って、実装され、1階部と2階部にエレベータホールが形成され、
【０１８８】
更に、
２階部給水ソケット８４１０は、既に浄水された水をためる貯水タンクとして使われ、
２階部水槽ソケット８３２０に、高層ビル型ディスプレイ装置ユニット８３５０が実装されることにより、
プラグイン式実装基盤装置の実装が完了し、分散統合型アクアリウムが完成する。
【０１８９】
次に、貯水タンク８４１０を井戸水などのカルキの含まれない水で満たし、
次に、このタンク８４１０の水を、１階部水槽８１１０の中に放水し、
放水された水を、１階部水槽８３３０へ、１階部水槽８１５０へと誘導し、
１階部の水槽の水位を上げ、水で満たし、
【０１９０】
次に、揚水装置８２４０を稼働させ、揚水式エレベータ装置８２１０によって、1階部エレベータホールを満たしている水を、２階部エレベータホールに揚水し、
２階部水槽８３２０に誘導し、この水槽を満たし、
溢れる水を２階部落水水路８３７０によって落水させ、
１階部水槽８１５０で受け、この水槽から溢れる水を、
１階部排水路８１６０によって外部に排水することにより、
循環水流の１サイクルが完了する。
このように揚水装置８２４０によって、給水された水が、1階部から2階部へ揚水され、更に落水して1階部に戻り、この水流循環が持続する。
【０１９１】
次は、２階部の高層ビル型ディスプレイ装置８３５０を稼働させる。
排気装置８３５５によって、貯水室８３５１の空気を排気し、減圧し、貯水室８３５１に揚水し、高層ビル型ディスプレイ装置８３５０が水で満たされる。
【０１９２】
次に、１階部の循環装置８１７０を稼働し１階部水流を循環させ、
同様に、２階部の循環装置８３８０を稼働し２階部水流を循環させる。
この水平循環水流によって、階層内に分散する装置が水平統合され、階層間の装置が垂直統合される分散統合型アクアリウムが実現される。
【０１９３】
次は、魚の投入である。
魚を１階部の水槽に投入する。
揚水式エレベータは、1階部水門と2階部水門が、垂直連携水路８２６０で接続され、形成される。
シャッター（８２３０、８２８０）の上下動作により、開口部（８２２５、８２７５）が開閉され、水門として働く。
１階部水門、２階部水門を開閉することに魚を1階部から2階部へ、または2階部から1階部へと誘導することができる。
この水門操作により、１階部の魚を２階部に、または２階部の魚を１階部に誘導し、魚の自由な移動を実現することができる。
【０１９４】
この実施例では、1階部と2階部から成る２階層アクアリウム基盤に5槽のソケット水槽が事前に準備され、そこにお好みの水槽装置をプラグインユニットとして実装することにより、プレハブ住宅式に、好みのアクアリウムを短時間に作り上げる例を示した。
尚、水平方向の展開は、水平連携水路により、更に、横方向に4槽目、5層目、と拡張することができる。
【０１９５】
同様に、垂直方向にも、垂直連携エレベータを増設することにより、例えば、マンションの各階に配置された、水平連携水槽を、垂直連携して、増設するというようなことができるのである。
【０１９６】
このように、分散統合型アクアリウム実装基盤装置とは、
マンションやオフィスビルの各フロアーに分散配置されたアクアリウムを垂直統合する新技術であり、一般家庭用でも、店舗でも、水族館でも使える新しいアクアリウムの開発・製造・設置にまで及ぶ技術体系の基盤技術である。
【０１９７】
そして、以下のような特徴がある。
設計から製造までの標準化、そして、現場での構築時間の短縮、コスト低減、輸送の効率化を可能にする革新的技術である。
【０１９８】
実施例（３）分散統合型アクアリウム実装基盤装置
（図２）  揚水ポンプ式揚水エレベータによる垂直連携  
【０１９９】
分散型循環水流式空中アクアリウム基盤装置のプラットフォームに、交換ユニット「ブリッジ型空中アクアリウム」を実装した実施例について説明する。
この実施例では、
・1階部水流系の基盤ソケット１は「空」、何も実装されていない
・1階部水流系の基盤ソケット２に「空」、何も実装されていない
・2階部水流系の基盤ソケット１に「ブリッジ型空中アクアリウム装置」が実装され、
・2階部水流系の基盤ソケット２に「ブリッジ型空中アクアリウム装置」が実装され、
・2階部給水系の基盤ソケットに「カルキ抜き浄水装置」が実装されている。
（ブリッジ型空中アクアリウム装置は、ソケット１と２の両方を使用する）
【０２００】
例．次の選択子もありうる。
1階部の基盤ソケットが２つ空いているので、
そこに、２本のタワー型空中アクアリウム装置を、実装することもできる。
・1階部水流系の基盤ソケット１は「タワー型空中アクアリウム装置」を実装
・1階部水流系の基盤ソケット２に「タワー型空中アクアリウム装置」を実装
【０２０１】
この水槽基盤装置の構造と動作は、以下のようになる。
１階部水流系７１００と、
２階部水流系７３００と、
垂直連携エレベータ７２１０と、
垂直連携揚水装置７２７０と、
給水手段と、で構成され、
【０２０２】
前記１階部水流系７１００は、
１階部垂直連携水槽７１１０と、
水平連携水路（７１２０）と、
１階部水槽ソケット（７１３０）と，
水平連携水路（７１４０）と、
１階部水槽ソケット（７１５０）と、
が接続され１階部水流系が形成されている。
ただし、２台のソケットは、実装されていない。
【０２０３】
前記２階部水流系７３００は、
２階部垂直連携水槽７３０５と、
水平連携水路（７３１５）と、
上流部水槽ソケット（７３２０）と、
水平連携水路（）と、
下流部水槽ソケット（７３５０）と、
２階部排水路７３８５と、が接続され、２階部水流系が形成されており、
更に、２台のソケットは実装され、
貯水室７３８０が、２階部水流系に筒状水路（７３４０、７３７０）で並列に接続されている。
【０２０４】
前記垂直連携エレベータは、
1階部水門付き貯水室７２２０と、上部に排気装置７２５０と給餌装置７２６０とを搭載する２階部水門付き貯水室７２４０と、垂直連携水路７２３０と、が接合されて形成され、
前記１階部垂直連携水槽７１１０内部に立脚し、更にその上部に配置される前記２階部垂直連携水槽７３０５内部に立脚し、垂直に接続されることで形成され、
【０２０５】
前記垂直連携揚水装置７２７０は、
前記１階部垂直連携水槽７１１０と前記２階部垂直連携水槽７３０５とが、前記揚水ポンプ７２８０で接続され形成され、
【０２０６】
更に、前記垂直連携エレベータ７２１０と、前記垂直連携揚水装置７２７０とで、垂直連携水流系７２００が形成され、
【０２０７】
更に、前記１階部水流系７１００と前記垂直連携水流系７２００と前記２階部水流系７３００と垂直連携排水路７３８５と、が環状に繋がることにより、分散型循環水流式空中アクアリウム基盤装置を循環する循環水流系が形成される。
【０２０８】
以後、動作を説する。
【０２０９】
前記給水手段により、水が
前記１階部垂直連携水槽７１１０に供給されることにより、分散型循環水流式空中アクアリウム基盤装置への初期給水を開始される。
給水された水は、前記１階部垂直連携水槽７１１０、続いて前記１階部水槽（７１３０，７１５０）を徐々に満たし、
【０２１０】
次に、
前記垂直連携揚水ポンプ７２８０を稼働させ、
前記１階部垂直連携水槽７１１０の水を前記２階部垂直連携水槽７３０５へと揚水し、
前記２階部垂直連携水槽７３０５を徐々に満たし、２階部水槽（７３２０、７３５０）を徐々に満たし、
【０２１１】
続いて、
前記２階部水槽７３５０をオーバーした水が、１階部水流系水槽７１５０へと排水され、
更に、前記１階部水槽７１５０をオーバーした水が、排水路７１６０により外部へと排水され、
分散型循環水流式空中アクアリウム基盤装置への初期給水を終了し、
【０２１２】
次に、
前記排気装置７２５０を稼働し、
前記垂直連携エレベータ７２１０内部の空気を排気し、減圧し、
前記１階部垂直連携水槽７１１０の水を、前記２階部垂直連携水槽７３０５に揚水し、
【０２１３】
前記の構造と動作により、分散型アクアリウム基盤装置を循環する水流を実現し、
１階部の水槽から、２階部の水槽への水流循環および、
１階部の水槽と、２階部の水槽との魚の移動を実現する。
【０２１４】
尚、1階部循環装置７１７０は、１階部水流系に並列に接続され１階部内での循環水流を発生するものであるが、必須のものではないので説明は割愛した。  2階部循環装置７３９０についても同様である。
【０２１５】
垂直連携揚水式エレベータ７２１０は、変形サイホン式揚水エレベータとも呼ばれる技術であり、サイホンの平衡原理、つまり平衡になるような水の動きを「阻止」する技術である。
この変形ブリッジ型サイホンは、橋脚の長さの違いで、開口部の位置の違う、特殊なサイホンではあるが、サイホンの平衡原理により、高い位置の2階部水槽２から低い位置の1階部水槽１に水は流れようとする。  しかし、水門を開けるタイミング、閉じるタイミングをコントロールすることにより平衡水流を水門で阻止することで、揚水式エレベータとして動作させることができる。
【０２１６】
この基盤装置が装備している、浄水装置の機能について説明する。
浄水装置７４００は、
カルキ抜き装置７４１０と、空気バブル発生装置７４２０、空気バブル発生器７４３０と水道蛇口７４７０と、給水コック３３３で構成されている。
【０２１７】
以下、機能動作について説明する。
はじめに、
浄水装置７４００の開閉コック７４９０を開くことのより、浄水された水が、カルキ抜き装置７４１０から１階部垂直連携水槽７１１０に供給される。これによりアクアリウムへの給水が開始される。
【０２１８】
給水された水は、１階部垂直連携水槽、１階部水槽A、１階部水槽Bを徐々に満たしていく。
給水を続けながら、
【０２１９】
次に、
垂直連携揚水ポンプ装置７２８０を稼働させる。
１階部垂直連携水槽の貯水が２階部垂直連携水槽へ揚水すされる。
２階部垂直連携水槽が徐々に満たされると、２階部水槽Aが満たされ、２階部水槽Bも徐々が満たされていく。
【０２２０】
２階部水槽Bをオーバーした水が、１階部水流系へと排水落下していく。
続いて、１階部水槽Bが満たされると、オーバーした水が、外部へと排水され始める。
以上の動作により、垂直連携水流による垂直循環の１サイクルが完結する。
【０２２１】
次に、１階部循環装置７１７０を稼働させると、１階部の局所的な水平循環が始まり、
更に、２階部循環装置７３９０を稼働させると、２階部の局所的な水平循環が始まり、
１階部、２階部の水が水平循環を始める。
【０２２２】
これですべての水槽・貯水室の隅々にまで新鮮な水を送り届けることが出来るようになる。
しかし、この状態では、１階部の魚が２階部に泳いで行くことは未だできない。
【０２２３】
魚の行き来を可能にするには、垂直連携エレベータを稼働させる必要がある。
先ず、水門１を開け、水門２を閉める。
続いて、揚水式エレベータ５５５の上部に設置された排気装置５５５を動作させる。
排気ポンプ２２２を、排気弁３３３の上に載せ、密着させて、排気していく。
減圧が進むにつれて、１階部垂直連携水槽の水が揚水され、２階部の貯水室５５５を満たしていく。  貯水室５５５が満たされたら、水門１を閉じ、水門２を開く、
この水門操作により、１階部垂直連携水槽と２階部垂直連携水槽は接続される。  
揚水エレベータが水で満たされた後に、やってはならないことがある。
決して、同時に２つの水門を“開”にしてはならない。  もし、この水門操作を誤ると、事故になり、2階部の水が1階部に落下してしまい氾濫事故になる。
【０２２４】
これで、揚水式エレベータによる、魚の遊泳移動の準備は整った。
揚水式エレベータは、理論的には１０．６メートルの高さまで、揚水し、エレベータをつくることができる。  しかし、実際的には５メートルを超えると、低い気圧下での魚の呼吸が問題になってくる。
【０２２５】
実施例（４）
（図２）サイホン管掃除の補助装置
【０２２６】
本発明は、サイホン管の内部に付着する、苔や水垢の掃除を熱帯魚にやらせる。
以下に、熱帯魚を掃除屋として採用し、その働きをサポートする、掃除補助装置の構造と動作についての実施例を説明する。
【０２２７】
（A）パイプ掃除
パイプ掃除は、サイホン管式循環水流装置に特有の悩みでありが、逆にそれを利用して“水流”の力で解決する秘策でもある。
【０２２８】
（B）苔掃除をやってくれる掃除屋、セルフィンプレコ
熱帯魚でなく、普通に温帯地方に生息する掃除屋が見つからない。
掃除屋プレコは、熱帯魚なので、常時２６℃近辺の水温が必要
パイプ掃除をさせるには、パイプは掃除屋の行動できる水温であることが必要。
温帯魚と熱帯魚では、魚たちの適応水温が異なるが、２６℃は、共存できる水温である。
【０２２９】
（C）循環水流式だから、最上流地点と最下流地点を定義することが出来る
掃除屋控室は、掃除屋たちの控室（定住拠点）となる場所である。
これは、循環水流の最上流地点に設けると効果的に働く。
水温管理装置は、複数の水槽に設置される発熱器と水温センサーからの配線を集め、水温を監視・管理する。
掃除屋控室より下流の水域に対して、熱帯魚プレコに適温になるように水温を管理する
管理者は、水温管理に加えて、給餌量管理も行ない、効率的な仕事をやらせることができる。
パイプが汚れてきたら、与える餌の量を減らし、空腹にさせ、仕事をやらせる
【０２３０】
（D）熱帯魚プレコの水槽掃除に必要な支援
寒い季節は、活動できなくなるので、掃除ができなくなる。
寒く、水温の下がる季節には、ヒーターで水を温めて、支援する。
暑く水温が上がる季節には、そのままでよい。
結果として、年間を通して、掃除屋、熱帯魚プレコ、が活動できるような水温環境が作られる。
【０２３１】
（E）サイホン管の掃除支援装置
水槽掃除補助装置は、
掃除屋控室と、水槽と、水路と、貯水室と、循環装置と、水温制御パネルと、発熱器と、水温センサーと、で構成され、
【０２３２】
水温制御装置（発熱器と水温センサー）は、
掃除屋控室内と、１階部垂直連携水槽内（最上流域の水槽）の２か所に設置され、独立に水温が管理される。
掃除屋控室と水温制御パネルは、電気的に接続され、同様に、
１階部垂直連携水槽（９９９９）と水温制御パネル９９９９も、電気的に接続され、
水温制御装置が形成される。
水温制御された水は、水平循環１、垂直循環、水平循環２によって、アクアリウム装置全域を循環する。
掃除屋控室に控えている掃除屋たちは、水温管理され、活動可能な水温となった場所、サイホン管式の立体構造物へと自由に泳いで行き、サイホン管構造物の内部の掃除を実行する。
このように、掃除屋と掃除補助装置によって、サイホン管掃除が実行される。
【０２３３】
管理保守者は、目標水温を設定する。
掃除屋控室は、常に一定水温２６℃に設定する。
控室以外の水温も、同様の目標水温２６℃に設定する。
この設定では、控室以外の全域が、冬でも、２６℃に保たれるので、全域が掃除屋の活動領域となる。
【０２３４】
熱帯魚の活動水温と異なる、目標水温１０℃（温帯魚の活動水温）に設定すると、
例えば、室温が５℃の冬季では、１０℃まで水温は上げられる。
これでは、掃除屋は活動できないので、２６℃に保たれている控室に戻ってくる
【０２３５】
（F）分散統合型アクアリウム基盤装置の掃除補助装置の構成と動作
掃除補助装置９９９９は、
掃除屋控室９９９９と、掃除屋９９９９と、控室用発熱器９９９９と、控室用水温センサー９９９９と、控室用配線コード９９９９と、全水槽用発熱器９９９９と、全水槽用水温センサー９９９９と、全水槽用配線コード９９９９と、水温制御装着９９９９と、
で構成される。
【０２３６】
掃除屋と呼ばれる熱帯魚、主にセルフィンプレコ９９９９、その掃除屋の控室９９９９は、
１階部垂直連携水槽（９９９９）の内部に設置され、そこには、控室用発熱器９９９９と控室用水温センサー９９９９が、配置される。
また、１階部垂直連携水槽９９９９の内部にも、
全水槽用発熱器９９９９と前記全水槽用水温センサー９９９９とが、配置され、控室用配線コード１とA2、全水槽用配線コード１とB2によって、水温制御装置９９９９に接続される。
【０２３７】
水温制御装置９９９９は、
水温センサー９９９９が感知した水温と、管理者が設定する目標水温とを比較して、控室用発熱器およびBを制御する。つまり、水温ヒーター９９９９をオンオフ制御する。
このように、水温センサー９９９９と発熱器９９９９と水温制御装置９９９９で、循環水流式水温制御系９９９９が形成されている。
【０２３８】
管理者は、水温制御装置９９９９を操作して、例えば２６℃に目標水温を設定する。
サイホン管掃除補助装置９９９９は、管理する人間系の指示に従って水温制御を実行する。
寒い季節には、前記１階部垂直連携水槽内に配置されたヒーターで暖められた水が、水流によって他の水槽に運ばれ、また、暖かい季節には、水温操作されていない（暖かい）水が、そのまま、循環する水流によって他の水槽に運ばれる。
【０２３９】
このような、構成と動作により、
アクアリウムは、年間を通して、管理者が設定した水温、例えば“２６℃”に、保たれるため、熱帯魚によるサイホン管掃除が実現されている。
掃除屋はカバーされる、これらの水流域の水槽や水路に付着する、苔や水垢の掃除を実行する。
【０２４０】
（G）循環水流によって、目標水温に保たれ、掃除対象としてカバーされる領域
２階部垂直連携水槽（９９９９）
２階部水路A９９９９
２階部立体構造アクアリウム装置９９９９（サイホン管式アクアリウム装置）
垂直連携エレベータ９９９９
１階部垂直連携水槽（９９９９）
１階部水槽B９９９９
１階部水路B９９９９
１階部水槽A９９９９
１階部水路A９９９９
このようにほぼ全域の水槽やサイホン管の掃除を、自動化することが可能となり、管理者は、不可能と思われた、コケ掃除から完全に解放される。
【０２４１】
実施例（５）
（図２）  カルキ抜き装置と、自動水交換装置
【０２４２】
この実施例は、カルキ抜きされた安全な水を供給するカルキ抜き装置と、古い水を排水し、水交換も同時に行なう自動水交換装置についての１つの実施形態である。
構成は、水道水を供給するホースと、2階部縦長タンクと、空気バブル発生装置２２２と、コック付き排出パイプ３３３と、1階部水槽と、循環ポンプと、で構成される。
バブル発生器８８８は、縦長タンクの底部に設置され、外部の空気バブル発生装置９９９に接続され、バブルタワー６６６が形成されている。  
コック付き少量排出パイプ３３３は、バブルタワーの側面底部に取り付けられる。  
1階部水槽は、このバブルタワーの真下に配置され、カルキ抜きされた水を受け止める。  
この実施例のバブルタワーの高さは１メートル程が望ましい。
【０２４３】
この装置の動作について説明する。
はじめに、
タンク下部のコック付き排出パイプを閉める。
そして、水道ホース４４４を操作して、水道水をバブルタワータンク８８８に貯め込む。
次に、
空気バブル発生装置を稼働させる。
発生した空気泡は、バブルタワー内部を水と混ざりあい、対流を起こしながら上昇する。  
水深が深いため、上昇する空気泡は、水との接触時間が長いため、効率よくカルキと反応し、カルキ成分を気化する。  そのため、自然に放置するだけのタンクより、短時間でカルキ抜きを行なうことができる。  また、空気泡の中の酸素も効率よく水に溶かし込むことができる。  
カルキ濃度は、時間とともに下がっていき、1日程度運転することで、カルキ抜きされ、酸素を多く含んだ、魚に無害な水を作ることができる。  尚、タンク内部の水に、同時に、紫外線を照射するとカルキ抜き効率はさらに高まる。
【０２４４】
次に、
循環ポンプ５５５を稼働させ、1階部水流を循環させておく。
カルキ抜きされた水は、コックを開くことにより、1階部水槽容器９９９に時間をかけて徐々に落下する。  
落下した水は、1階部循環水流に乗って、垂直連携水槽へ、2階部水槽へ、と運ばれアクアリウムの隅々まで送り届けられる。
以上が、カルキ抜き装置の基本動作である。
【０２４５】
更に、自動水交換装置としての動作を説明する。
水の追加が必要な場合や、定期的な水交換が必要な場合、排出パイプのコックを開いて、時間をかけて、徐々に浄化カルキ抜きされた水を、1階部水槽８８８に落とし込む。
循環する水は、その一部が新旧交代し排水され外部に捨てられる。
【０２４６】
この空気バブルカルキ抜き方式による水の追加交換は、薬剤を全く使用しないため、魚たちにも優しく、急激な水温変化のない、緩やかな水質・水温変化となるため、魚たちはこの変化に問題なく対応できる
この仕組みにより、安全な自動水交換の仕組みが可能になる
【０２４７】
実施例（６）給排水のための水槽容器の貫通穴の構造が特徴
【０２４８】
（図１）初期配水の問題解決の実施例
【０２４９】
この発明は、
水槽容器Aと水槽容器Bは、互いの側面が接着連結され、基礎構造物を形成している。
さらに、接着された境界面の上部に貫通穴８８８が設けられている。
構造物支持台は、２側面に開口部３３３があり、横長の水槽容器の中央部に、逆さに伏せた状態で、接着固定される。
更に、水槽容器と構造物支持台とは、各々が面接着されるので堅牢で強固な構造物基礎部を形成する。
【０２５０】
各パーツが接着固定され堅牢で強固な１つの構造物として実現されている。
【０２５１】
実施例（７）
【０２５２】
（図７）  ブリッジ型ディスプレイ装置
この実施例は、ディスプレイ部がTV画面のような形状をしていることが特徴。
水槽基礎部とディスプレイ部を分離できることが特徴。
揚水式空中アクアリウム装置の1つの実施形態である。
【０２５３】
ブリッジディスプレイ部を、手持ちの既存水槽２台の上に載せるだけで、直ちに使用かのうである。
この発明は、既存の四角い水槽との共存性、互換性を実現できる点が有用である。
【０２５４】
循環水流式空中アクアリウム装置は、基本的に細く長い水路と、水槽より小さい幾つかの貯水室で構成される。  貯水室は、水槽というより貯水路である。
材質は、アクリル樹脂を使うので軽量である。
【０２５５】
空中に水を貯める「貯水室」は、鑑賞者に見せるために面積が大きいことに意味あるが、厚みは厚い必要はないので、薄く、大面積に作ることができるので、総重量を抑えることが可能となる。  重くないのでビルのどのフロアーの上でも設置可能となる。
【０２５６】
水で満たされた水槽５５１と水槽５５２があり、更に
薄型ＴＶのような貯水室５７０があって、この貯水室の左下右下に直立する柱状水路５６１と５６２が、現在多く販売されている標準的な四角い水槽５５１、水槽５５２に水没するような長さで付いている。
貯水室５７０は２つの水槽に跨った状態で２つの水槽の上に乗っている。
【０２５７】
この実施例では、柱状水路（５６１、５６２）は水槽底面には届かず浮いている状態である。  別の方法は、柱状水路５６１、５６２の底部が、魚道となる開口部を有しつつ転倒しにくい形状に作られ、既存の水槽底部に届いて、水中に起立する形状のものでも良い。
【０２５８】
循環ポンプ５９０は、水槽５５１と、水槽５５２に接続されており、水槽５５２から水槽５５１への方向の水流をつくりだしている。
更に排気用の固定弁（３１１、３２１）、給餌装置３１２が、貯水室の上部に設けられている。
【０２５９】
この空中アクアリウム装置は、次の手順ステップで動作する。
ステップ１
排気用固定弁（３１１、３２１）の上に着脱式排気装置（真空ポンプ）を結合し稼働させ、貯水室５７０の空気を排気減圧する。  貯水室５７０の気圧が下がるにつれて、水槽５５１、５５２を満たしている水が揚水され、水路５６１、５６２を通って貯水室５７０を満たす。
【０２６０】
ステップ２
その後で、水流ポンプ５９０を稼働させると水が、水流ポンプ５９０→水槽５５１→水路５６１→貯水室５７０→水路５６２→水槽５５２のように循環し始める。
【０２６１】
ステップ３
空中給餌装置５８０を稼働させ、漏斗状容器の餌を貯水室に注入すると、貯水室５７０を流れる水流に乗って水路５６２へ流れ、水槽５５２の中に居る魚たちが薄型ＴＶ画面のような貯水室５７０の方に集まって来る。
【０２６２】
インテリアにもなる循環水流式空中アクアリウム
この実施例による揚水式貯水室５７０は、その面積は大型薄型ＴＶ画面のように大きくすることができる。
鑑賞者は、薄型ＴＶ画面を見るように、貯水室の中を泳ぐ魚たちを鑑賞することができる。
薄型ＴＶ画面の高さは、最高１０メートルまで可能である。
【０２６３】
ブリッジ分離式空中アクアリウム装置は、ブリッジディスプレイ部のみを既存水槽に載せる方式であり、貯水室の奥行（厚み）は、１０ｃｍ〜１５ｃｍ程度が重量的に好ましい。
現在、オーバーヘッドタイプの濾過装置が普及しており、水槽上部に載せられているが、残りのスペースにこのブリッジディスプレイ装置をピッタリ納めることができる。
手持ちの既存水槽（３０ｃｍ、６０ｃｍ、９０ｃｍ）がすぐに使える点でメリットが大きい。  循環ポンプ５９０も新たに入手する必要はない。手持ちの濾過用ポンプがすぐに使用できるのである。
【０２６４】
基礎部のサイズと重量と強度（図１）
狭い設置スペース、例えば床面積が1平方メートル、高さ２メートル、そんなスペースであっても、
高さ方向は、最高で１０メートルを超える、背の高いアクアリウムを設置することも可能になる。
【０２６５】
一般に、文字〇の形状は、文字Ωのように下部が開いた形状より、上からや横からの力に対して格段に強い強度が得られる。  
同時に、生体の容易な取り出しが容易にでき、頑丈さを兼ね備えた構造物を作ることができる
【０２６６】
このように、サイホン式揚水エレベータでは揚水できる高さの限界は、10メートルであるのにたいして、
揚水ポンプの水圧パワーが強ければ屋上まで揚水することができることが特徴である。
【０２６７】
実施例（８）排気装置の実施例
（図９）  着脱式排気弁と着脱弁支持部品（着脱弁受部）の前面図。
【０２６８】
排気装置７００は、着脱式排気弁７１０と着脱弁支持部品（着脱弁受部）７５０で構成される。
【０２６９】
着脱式排気弁７１０は、受部シリンダー７６０から挿入、または抜き出し着脱する。
回転式開閉コック７７０は、回転し、排気口を密閉する。
回転式開閉コック７７０は、密閉性が高く、耐久性に優れる。
着脱式排気弁７１０は、ゴム製フタ部７１２とゴム製筒状部７１３で構成され、ゴム製筒状部の下部には密着性をゴム製弁突起部７１５が付いている。
弁突起部７１５が、シリンダー内壁に密着する。
着脱弁受部は、シリンダー固定用ボルトとナットで貯水室に固定される。
排気装置７００は、貯水室の外側から受部シリンダーボルト部７８０が挿入され、ナット部７９０が貯水室の内側から螺合することで固定される。
着脱式排気弁７１０と回転式開閉コック７７０により、運用稼働中でも排気弁を交換できることが特徴。
【０２７０】
固定弁の場合には、破損又は機能不全になったら構造物全体が使えなくなるが、着脱式にすることで排気弁の交換だけで機能を回復することができる。
【０２７１】
実施例（９）開閉フタ付き給餌装置の実施例
【０２７２】
（図１０）（図１２）（図１３）
図１０（Ａ）は、ロート状容器８２０と、その漏斗状容器の下部に回転式開閉コック８３０が付いた、フタなし給餌装置８１０である。
【０２７３】
フタなし給餌装置について、図１０（Ａ）と図１２と図１３を使って説明する。
開閉コック８３０は、通常「閉」状態なので貯水室は密閉されている。
給餌の瞬間だけ「開」にして給餌する
・先ず、餌８５０をロート状容器８２０に注ぎ入れ、
・次に、水差し８６０で水８７０を注ぎ、餌を液状にする。
・その後、回転式コック８３０を開き、液状の餌を貯水室の中に注入する。
・回転式コックの操作はごく短時間だけ「開」にして、直ちに「閉」に戻す。  
【０２７４】
注意点  
・給餌の瞬間だけ「開」にするが、その時間が長すぎると、空気が侵入を許してしまい、貯水室に多くの空気が入り好ましくない。  
・空気を侵入させないためには素早い「開」動作が必要であり、これを誤ると貯水室の水は、瞬く間に下の水槽容器に落ちてしまう。  これは最悪の場合には、水の氾濫事故となる。
【０２７５】
しかし、この問題は、可動フタによって見事に解決するされる。
図１０（Ｂ）は、可動フタ８９０が半開きの状態のフタ付き給餌装置８８０である。  
【０２７６】
図１０（Ｃ）は、可動フタ８９０が全開きの状態のフタ付き給餌装置８８０である。
この例では、可動フタは漏斗状容器の上部に蝶番８９５で開閉自在に固定されている。
この可動フタで大事なことは、フタは、閉められても密閉されず、ごく僅かな空気は侵入する構造になっていることである。  
【０２７７】
もし、フタをした状態で、回転式開閉コックを「開」にしても、貯水室には、僅かな空気が徐々に入っていくだけである。  従って、水に溶けた餌が入っている状態で「開」にすると、餌のみが入り、空気の侵入はほぼ完全に防止できるのである。
【０２７８】
・まず、可動フタ８９０を全開きの状態にする。
・そしてロート状容器８２０に、餌を注ぎ入れる。
・その後、水８１０を注ぎ入れ、液状化させる。
・その後、この可動フタ８９０を閉め、ロート状容器８２０の上にフタ８９０を被せる。
・その後、回転式コック８３０を「開」にして、元に「閉」に戻す。
フタがある場合、この「開」「閉」操作は、普通に行なっても空気の侵入は殆どなく、安全に餌を貯水室に送り込むことができる。
フタがない時と比べて、コックを「開」にする時間が多少長くても、空気の侵入は殆ど無い。
【０２７９】
実施例（１０）  貯水室の致命的問題を改善する、残留空気室を有する貯水室の実施例
【０２８０】
（図１１）  残留空気室
【０２８１】
図１１（A）
魚たちは、水中から水面に上がってきて呼吸する習性がある。  
貯水室６２０の天井部にできる残留空気層６１０は、魚たちの呼吸に必要不可欠である。
魚たちは、空気袋に沢山の空気を取り入れそれ、それを浮力調整にも使っている。  
もし、この残留空気層６１０がなかったら、魚たちは呼吸困難になり最悪死んでしまう。
【０２８２】
図１１（A）は、貯水室内部の天井部分６４０に意図的に作った空気溜まり、残留空気室である。
【０２８３】
図１１（B）は、貯水室６２０の天井裏に外部に空気室６００を設けた例であり、凹状の浅い容器６５０を逆向きに伏せて、残留空気室６００としたもの。
【０２８４】
図１１（C）は、貯水室６２０の天井内部に空気室６００を設けた例であり、凹状の浅い容器６５０を逆向きに伏せて、残留空気室６００としたもの。
【０２８５】
図８は、貯水室上部の、外部に残留空気室７７７を設け、更にその上部に給餌装置４４４と排気装置２２２を取り付けた例である。
【０２８６】
残留空気室は、以下のように動作し機能する。
図１１（D）
排気ポンプの吸入口を、排気弁６８２に密着させ、吸引する。
貯水室６２０の空気は、排気され、徐々に減圧されていく。
大気の圧力により、水槽容器の水は、水路を通って、貯水室６２０に上がってくる。
（この図には、水槽容器と水路は描かれていない。）
その水は、貯水室６２０まで上がり、やがて貯水室を満たす。  しかし、残留空気室６５０に入っている空気は、排気されることなくそこに残留する。
（しかし、図８のように排気装置が残留空気室の天井部にある場合には、水は更に残留空気室６６６の天井まで上がって来るので、空気を残留させるためには、水で満たされる前に排気動作を途中で打ち切り、注意を払って、空気を残留させるしか方法はない。）
【０２８７】
また、時間とともに残留空気の量が減って少なくなっても、給餌の時に、以下のように空気を補給することができる。図１１（D）  
餌が、液状化され給餌装置６７２から貯水室内部６２０に注入されるとき、少なからず空気が餌と一緒に、侵入してしまう。  その侵入した空気は、この残留空気室６５０に残留させることができるので、減った残留空気の追加補給することができる。
このように魚たちは、残留空気室が設けられていれば、空気を求めて上に上がってくれば、いつでも空気を吸い込むことができ、呼吸困難で死ぬことを防ぐことができる。
【０２８８】
しかし、残留空気室の位置が、水槽の水面から5メートルの高さのとき、残留空気圧は通常の半分になり、１０メートルでは、ほぼ０気圧になってしまう。  残留空気室の位置が５メートルを超えるあたりから真空に近くなるので注意しなければならない。
【０２８９】
実施例（１１）
【０２９０】
（図１２）タワー型揚水式空中アクアリウム装置ユニット
【０２９１】
この実施例は、貯水室が高層タワー型の揚水式空中アクアリウム装置の一実施形態である。
タワー型揚水式アクアリウム構造物は、支持台に固定され、水槽容器１２１０の中にそびえ立つ筒状構造物である。（この実施例では支持台はえがかれていない。）
左側は、角筒状タワー型ディスプレイ装置。  右側は、円筒状タワー型ディスプレイ装置。
いずれも、縦型水路の上部に排気装置１２５０と給餌装置１２６０を搭載している。
また、筒状水路の下部側面の水没する位置に、開口部１２７０が設けられ貯水路１２３０、１２４０が形成される。  水は、開口部１２７０から出入りする。同様に魚もこの開口部１２７０から出入りする。
はじめに、水平連携水路１２２０により、供給される水によって水槽１２１０が満たされ貯水される。
【０２９２】
次に、排気装置により、排気ポンプを排気弁１２５０に結合し、排気減圧し、水槽１２１０を満たしている水が、揚水され、貯水路１２３０、１２４０を満たす。
次に、給餌装置が稼働され、餌が漏斗状容器１２６２に注がれ、そこに溜まる。
その後、水が注がれ、餌と混ぜられ、液状化する。
更に、給餌用開閉コック１２６５が操作され、液状化されている餌が貯水室１２３０、１２４０の内部に注入される。
また、給餌した時、餌と一緒に少量の空気が侵入するが、それは残留空気となって貯水室の天井部に残留し、魚たちの呼吸に使用される。
貯水路の中の水は、大きな水の流れはない。しかし、対流による水の上下動が多少は存在する。  魚は、水平連携水路１２２０、および開口部１２７０から出入りする。
【０２９３】
尚、この実施例では、水槽容器１２１０への給水、魚の供給は、水平連携用水路１２２０によって自動的に行われるが、他の水槽との接続がない単体使用の場合は、この水平連携用水路１２２０は装備される必要はなく、バケツなどの人力手段で給水排水、魚の供給がなされることになる。
【０２９４】
実施例（１２）  
【０２９５】
（図１３）高層ビル型揚水式空中アクアリウム装置ユニット
【０２９６】
この実施例は、貯水室が高層ビル型の揚水式空中アクアリウム装置の一実施形態である。
高層ビル型構造物１３３０の屋上部には、排気装置１３４０と給餌装置１３６０とが装備されており、更に構造物の基礎部分には、その側面に開口部１３３５が設けられ、それらによって給水、および排気、空中給餌が行なわれる構造となっている。
側面の開口部１３３５は、水槽容器１３１０の中に満たされる貯水の中に水没し、この開口部１３３５を通して水の出入り、魚の出入りが行われる。
【０２９７】
この高層ビル型構造物１３３０は、構造物全体がディスプレイ装置として働き、アクアリウム鑑賞者の視線と同じ高さ、またはそれ以上の見上げる高さ、が好ましくディスプレイ装置として最高の表示性能を発揮する。
魚たちは、この高層ビル型の貯水室１３３０を自由自在に泳ぎ回ることができる。
特に垂直方向は最大１０メートルの高さまで高層化することが出来るので、魚たちにとっては、かつて経験したことのない「潜水」が可能になる。
このように、高層ビル型アクアリウムは、魚たちに対して、鑑賞者に対しても、従来型の四角い水槽では得られなかった見ごたえのあるアクアリウムを実現提供する。
【０２９８】
この実施例では、水槽容器１３１０への給水排水、魚の供給は、水平連携用水路１３２０によって自動的に行われるが、他の水槽との接続がない単体使用の場合は、この水平連携用水路１３２０は装備される必要はなく、人力などの手段で給水排水、魚の供給がなされることになる。
【０２９９】
実施例（１３）
（図１４）  揚水エレベータ式階層構造アクアリウム装置
【０３００】
この実施例は、高低差のある２つの水槽を垂直連携する揚水エレベータ式階層構造アクアリウム装置の一実施形態である。
1階部の水槽と、2階部の水槽とが、揚水式エレベータによって垂直連携接続されることにより、階層構造アクアリウム装置が形成され、1階部水流系と２階部水流系とがつながり、魚たちが1階から2階へ、または2階から1階へ、自分の力で遊泳移動できるアクアリウムが実現され、これにより管理者は、網で掬うことなしに魚たちを水位差の大きく異なる別の水槽に移動させることが出来るようになる。  この実施例は、1階部と2階部に各々1槽の最小構成の揚水エレベータ式階層構造アクアリウムの例である。
【０３０１】
いま、ここに１メートル程度の高低差のある２つのテーブルがあり、上段部テーブルに配置された水槽容器１４１０を２階部垂直連携水槽と呼び、同様に、下段部テーブルに配置された水槽容器１４７０を１階部垂直連携水槽と呼ぶことにする。
【０３０２】
さらに、同様に同程度の高さのタワー型貯水室１４６０があり、その１階部に開口部１４６５と、１階部シャッター１４６６とが設けられて１階部水門１４６４が形成され、
【０３０３】
同様に、２階部に開口部１４６２と、２階部シャッター１４６３とが設けられて２階部水門１４６１が形成、水門を装備したタワー型貯水室１４６０が形作られる。
【０３０４】
更に、前記水門装備のタワー型貯水室１４６０は、その上部に排気装置１４４０と、給餌装置１４５０とが搭載され、タワー型揚水式貯水室が形成される。
【０３０５】
前記タワー型揚水式貯水室１４６０の１階部水門部は、１階部垂直連携水槽１４７０の水槽容器の底面に立脚し、同様に２階部水門部１４６１が２階部垂直連携水槽１４１０の水槽容器底面の上に立脚し、１階部水槽と、２階部水槽から乗り降り可能な１階部と２階部を垂直連携する垂直連携エレベータ型揚水式空中アクアリウム装置１４６０が形成される。
【０３０６】
まず、何らかの給水手段により、１階部垂直連携水槽１４７０および２階部垂直連携水槽１４１０が満たされ貯水される。
次に、１階部シャッター１４６６を上げ１階部水門を開け、２階部シャッター１４６３を降ろし２階部水門を閉める。
【０３０７】
そして、エレベータ装置に搭載されている排気装置１４４０によって、エレベータ内部の空気を排気し減圧し、１階部水槽１４７０の貯水を揚水し、エレベータ内水位を徐々に上げ、２階部水槽１４１０に運び上げる。
以上の動作で１階部から２階部への揚水作業が終了する。
【０３０８】
次は、１階部から２階部への魚の誘導作業である。
先ず、２階部シャッター１４６３を降ろし、２階部水門を閉める。
更に、１階部シャッター１４６６を上げて、１階部水門を開ける。
【０３０９】
次に、給餌装置１４５０を稼働させて、餌をエレベータの中に注入し、１階部水槽に居る魚たちを１階部エレベータ内部に誘導し、更に２階部エレベータに誘導する。
魚たちが、２階部に集まったら、１階部の水門を閉め、２階部水門を開け、目的地となる２階部垂直連携水槽に集合させる。
以上の動作で１階部から２階部への魚の誘導作業が終了する。
【０３１０】
この実施例では、水槽容器１４７０への給水および排水は、水平連携用水路１４９１、１４９２によって自動的に行われるが、他の水槽との接続がない単体使用の場合は、この水平連携用水路１４９１、１４９２は装備される必要はなく、人力などの手段で水槽容器１４７０への給水排水、魚の
【０３１１】
供給がなされることになる。
【０３１２】
実施例（１４）
【０３１３】
（図１５）  タワー型酸素供給装置
【０３１４】
この実施例は、アクアリウムへの酸素の供給を効率的に行なうための仕組みに加えて、自己清掃する仕組みも具備した酸素供給装置である。
装置の内壁には時間とともに苔や垢が付着するが、タワー型水路や貯水室は、人手による掃除が難しい。
この水槽は、水平連携水路で1階部水流系に接続することができるので、掃除屋がカバーする清掃掃除範囲に加えることで、掃除屋によって常に苔ナシの綺麗な状態に保つことができる。
さらに、魚は、上部の空中水槽まで上がってくることが出来るので、鑑賞者は、ここで魚に餌をやることができ、直接さわることもできる。
【０３１５】
このタワー型酸素供給装置は、空気バブル発生装置１５５５と、水槽１５６０と、揚水ポンプ装置１５８０と、循環ポンプ装置１５９０と、水門付き貯水室１５３０と、縦型筒状水路１５２０と、空中水槽１５１０と、落水水路１５１５と、で構成される。
そして、
水門付き貯水室１５３０と、タワー型水路（縦型筒状水路）１５２０と、空中水槽１５１０と、でタワー型酸素供給装置１５００が形成される。
空気バブル発生器１５５０が、タワー型水路１５２０の下部開口部の真下に配置される。
更に、
落水水路パイプ１５１５の一端は、空中水槽１５１０の側面上部に接続され、他端が水槽１５６０の水面の上部の位置に固定されている。  
更に、
揚水ポンプ装置の入力パイプ１５８２は水槽１５６０に接続され、出力パイプ１５８４は貯水室１５３０に接続されている。
また、
この実施例のタワー型酸素供給装置１５００は、1.5メートル程である。この高さは、鑑賞者の手が届く高さにしためであるが、更に高い高層型タワーであっても何の問題も無い。更に高くすれば、高層の垂直水路の中を泳いで、急上昇・急降下する魚たちを鑑賞することができるようになる。
【０３１６】
このタワー型酸素供給装置の動作は、以下のようになる。
はじめに、
水門１５４０を閉め、揚水ポンプ装置１５８０を作動させる。
揚水ポンプ装置は、水槽１５６０の中の水を吸い込み、貯水室１５３０の中に送り込む。送り込まれた水は、タワー型水路１５２０の水路を下から上に押し上げられ、その上部の空中水槽１５１０まで押し上げられる。  
オーバーした水は落水水路１５１５を通して、水槽１５６０に戻される。
【０３１７】
次に、
空気バブル発生装置１５５５を稼働させる。
バブル発生器１５５０から出た空気泡は、真上のタワー型水路１５２０の中を水と混ざりあいながら上昇する。  上昇する空気泡１５５７は、水との接触時間が長いため、効率よく水に溶け込むので、空気泡中の酸素も効率よく水に溶け込むことになる。  
空中水槽１５１０の出力水位をオーバーした水は、1階部の水槽１５６０に落下する。
時間経過とともに、1階部水槽の水は、酸素を多く含んだ水となる。
【０３１８】
次に、
循環ポンプ１５９０を稼働させる。
水槽１５６０は、水平連携水路１５７０により1階部水流系に接続される。
循環ポンプ１５９０は、水槽１５６０に溜まった酸素を多く含んだ水を1階部循環水流に乗せて、垂直連携水槽へ、2階部水槽へ、と運び、アクアリウムの隅々まで送り届ける。
以上が、タワー型酸素供給装置の動作である。
【０３１９】
空中アクアリウムは、光がよく当たるため時間の経過とともに付着する苔や水垢で汚れてくる。  水槽・水路・貯水室など、人手では掃除できない部分が多いため、付着する苔や垢を自己清掃できることが絶対条件である。
貯水室１５３０の側面に設けられた水門１５４０は、この課題を見事に解決してくれる。
掃除屋とよばれる魚は、この水門の開口部１５３５を通って、空中水槽１５１０まで上がって行くことができる。
管理者は、タワーの汚れが目立ってきたら、水門を開け、掃除屋を貯水室１５３０の中に誘導し、水門を閉め、バブルタワーの掃除をさせる。  
仮にこの水門が無くても、酸素供給装置としては機能するが、しかし汚れは鑑賞に耐えられないほど増えていくので、空中アクアリウム鑑賞装置にとって、この水門付き貯水室１５３０は必要不可欠な存在である。
また、鑑賞者は、空中水槽１５１０に集まる魚たちに餌を与えることができるので、魚たちはこのタワー型水路に集まってくる。そして上昇泡の中を楽しそうに泳ぎ遊びまわる。  鑑賞者は、そんな活き生きとタワー型水路の泡の中を、上に下に、動き回る魚たちの姿を視線の高さで鑑賞し、魚に直接さわることもできる。
このようにタワー型酸素供給装置は、観賞魚用ディスプレイ装置として、欠かすことが出来ない存在である。
【０３２０】
実施例（１５）
（図１７）  エスカレータ型揚水式空中アクアリウム装置ユニット
この実施例は貯水室が、貯水室Aと貯水室Bの２つに分離され、ブリッジの橋脚部分Bが極端に短くなった形、もしくは無くなっている点である。
ブリッジ型揚水式空中アクアリウム装置の変形した実施形態である。
給餌装置から、餌を注入すると、魚たちは、この斜めに傾斜した水の坂道を大急ぎで昇り、餌を食べつくすと、その後、タワー型水路を急降下・急上昇して遊ぶ姿を見せてくれる。
タワー型水路と、このエスカレータ状の水路が最大の特徴である。
このような形状の中を泳ぐ魚たちは鑑賞者に驚きと感動を与えてくれる。
実施例（１６）
【０３２１】
（図１８）  水平連携水路装置
この実施例は、同じ高さの水槽と水槽とを結ぶ水平連携水路装置である。
ブリッジ型揚水式空中アクアリウム装置の変形である。
このブリッジ水路を使うと、水槽と水槽を容易に接続することができる。
つなぎたい２つの水槽に跨るように載せ、水路の端部を水面下なるように設置する。
排気装置を稼働させて、水路内の残留空気を排気し、減圧し、水路を水で満たす。
これで2つの水槽は接続され、魚たちは自由な行き来が出来るようになる。
水槽に穴をあけることなく、簡単に雪像できることが最大の特徴である。
【０３２２】
実施例（１６）
（図１９）階層構造アクアリウムの中の魚の様子（前面図）
この実施例は、魚たちが、揚水式空中アクアリウム装置や、揚水エレベータ式階層構造アクアリウム装置の中をどのように移動し、他の場所に泳いで行くかを説明するものである。
例えば、餌を左上のエレベータ上部の給餌装置から与えたとする、すると、エレベータの中に注入され餌は、２方向に分かれる。
（１）１つの方向は、水流に乗って、エレベータホールへ、そして、水平連携水路を通って、ブリッジ型空中アクアリウム装置に流れ込む、更に、そのディスプレイ部分（貯水室、）に流れ込む、次は、2階部の排水路を経て、1階部の水槽に落ちていく。  
【０３２３】
（２）もう1つの方向は、エレベータの垂直タワーの部分を下方向にに落ちていく。
流れの中に居る魚たちは、流れてくるエサの方向に食べながら泳いで行く。それは従来の四角い水槽では見ることの無かった魚たちの活発な動きであり、上流へ上流へと川をさかのぼるように、水平連携水路を潜り抜け、隣の水槽へそして、エレベータへと皆が動き回る姿を眺めることができる。また、エレベータを下から上に魚たちの姿は、コイの滝登りともいえるシーンを私たちに見せてくれる。
魚たちは、上流を目指しながら餌を食べ、食べつくすと、次は、下流を目指す。エレベータを今度は、上から下に真っ逆さまに下り降りていく行動は、これもまた、今までの水槽では見ることのなかった、活き活きとした自然界の魚の動きである。
魚たちは、時間とともに自分たちが暮らすこのアクアリウムの地理を憶えていく。そうなると、餌やりの時間になると、いつもの場所に集まるような行動をとり始める。  自然界の川の中を再現でき、視線の高さ、またはそれより高い、空中を楽しそうに泳ぐ姿がこのアクアリウムは売りであろう。
実施例（１７）
【０３２４】
(図１６)タワー型カルキ抜き装置ユニット（前面図）
空気バブル発生器によって発生された空気泡が、タワー型水路の中を上昇する過程でカルキ成分と反応さることによって簡単かつ安全にカルキ抜きを行なう、タワー型カルキ抜き装置の実施例である。
【符号の説明】
【０３２５】
●複雑なサイホン管型揚水式アクアリウム装置（図６）（長―い水路式）  符号１１〜４４９
【０３２６】
１００・・・・・・・・・・・複雑なサイホン管型揚水式アクアリウム装置
１１０・・・・・・・・・・・水槽A
１１３・・・・・・・・・・・水、貯水
１１４・・・・・・・・・・・水位
１１５・・・・・・・・・・・大気圧
１２０・・・・・・・・・・・水槽B
１２３・・・・・・・・・・・水、貯水
１２４・・・・・・・・・・・水位
１２５・・・・・・・・・・・大気圧
１１０・・・・・・・・・・・水路
１１１・・・・・・・・・・・空気孔
１１２・・・・・・・・・・・開口部
１３０・・・・・・・・・・・水位差
２２０・・・・・・・・・・・水路１
２２１・・・・・・・・・・・空気孔
２２２・・・・・・・・・・・開口部
２３０・・・・・・・・・・・水路２
２４０・・・・・・・・・・・水路３
【０３２７】
３１０・・・・・・・・・・・貯水室
３１１・・・・・・・・・・・排気用弁（固定）
３１２・・・・・・・・・・・開口部
３１３・・・・・・・・・・・貯水室の非常口
３１４・・・・・・・・・・・給餌装置（漏斗状容器、給餌用開閉コック）
３２０・・・・・・・・・・・貯水室
３２１・・・・・・・・・・・排気用弁（固定）
３２２・・・・・・・・・・・開口部
３２３・・・・・・・・・・・貯水室の非常口
３２４・・・・・・・・・・・給餌装置（漏斗状容器、給餌用開閉コック）
３５０・・・・・・・・・・・餌
３６０・・・・・・・・・・・水（液状化用の水）
４０１・・・・・・・・・・・魚
４０２・・・・・・・・・・・魚
４０４・・・・・・・・・・・魚
４１０・・・・・・・・・・・循環ポンプ装置
【０３２８】
●サイホン原理（図４）
５００・・・・・・・・・・・四角い水槽
５１０・・・・・・・・・・・サイホン
５１１・・・・・・・・・・・水槽A
５１２・・・・・・・・・・・水槽B
５１５・・・・・・・・・・・サイホン管
【０３２９】
●サイホン管型揚水式アクアリウム装置（図５）
５２０・・・・・・・・・・・サイホン管型揚水式アクアリウム装置
５２１・・・・・・・・・・・水槽A
５２２・・・・・・・・・・・水槽B
５２３・・・・・・・・・・・貯水、水
５２４・・・・・・・・・・・大気圧
５２５・・・・・・・・・・・水位差
５３１・・・・・・・・・・・サイホン管A
５３２・・・・・・・・・・・サイホン管B
５４０・・・・・・・・・・・貯水室
５４１・・・・・・・・・・・水、貯水
５４２・・・・・・・・・・・残留空気圧
５４５・・・・・・・・・・・排気装置
５４６・・・・・・・・・・・排気
５４８・・・・・・・・・・・循環ポンプ
【０３３０】
●テレビ画面型揚水式空中アクアリウム装置（図７）（基礎部＋画面部）
５５０・・・・・・・・・・・テレビ画面型揚水式空中アクアリウム装置
５５１・・・・・・・・・・・上流部水槽
５５２・・・・・・・・・・・下流部水槽
５６１・・・・・・・・・・・上流部水路
５６２・・・・・・・・・・・下流部水路
５７０・・・・・・・・・・・貯水室
５７１・・・・・・・・・・・排気装置１
５７２・・・・・・・・・・・排気装置２
５８０・・・・・・・・・・・給餌装置
５９０・・・・・・・・・・・循環ポンプ
【０３３１】
●残留空気室（図１１）
６００・・・・・・・・・・・残留空気室
６１０・・・・・・・・・・・残留空気
６２０・・・・・・・・・・・貯水室
６３０・・・・・・・・・・・貯水室開口部
６４０・・・・・・・・・・・貯水室天井部
６５０・・・・・・・・・・・浅い皿状容器
６７０・・・・・・・・・・・給餌装置
６７２・・・・・・・・・・・ロート状容器
６７４・・・・・・・・・・・開閉コック
６８０・・・・・・・・・・・排気装置
６８２・・・・・・・・・・・着脱式排気弁
６８５・・・・・・・・・・・開閉コック
【０３３２】
●排気装置（図９）
７００・・・・・・・・・・・排気装置
７１０・・・・・・・・・・・着脱式排気弁
７１２・・・・・・・・・・・ゴム製フタ部
７１３・・・・・・・・・・・ゴム製筒状部
７１５・・・・・・・・・・・ゴム製弁突起部
７５０・・・・・・・・・・・着脱弁受部
７５５・・・・・・・・・・・受部排気口
７６０・・・・・・・・・・・受部シリンダー
７７０・・・・・・・・・・・受部シリンダー開閉コック
７８０・・・・・・・・・・・受部シリンダーボルト部
７９０・・・・・・・・・・・受部シリンダーナット部
【０３３３】
●給餌装置（図１０）
８１０・・・・・・・・・・・給餌装置（開閉フタなし）
８２０・・・・・・・・・・・漏斗状容器
８３０・・・・・・・・・・・開閉コック
８４０・・・・・・・・・・・餌容器
８５０・・・・・・・・・・・餌
８６０・・・・・・・・・・・水差し
８７０・・・・・・・・・・・水
８８０・・・・・・・・・・・開閉フタ付き給餌装置
８９０・・・・・・・・・・・開閉フタ
８９５・・・・・・・・・・・蝶番
【０３３４】
●排気装置・給餌装置・残留空気室（図８）
９００・・・・・・・・・・・残留空気室
９１０・・・・・・・・・・・着脱式排気弁
９２０・・・・・・・・・・・可動フタ                    
９３０・・・・・・・・・・・ロート状容器
９４０・・・・・・・・・・・給餌用開閉コック
９５０・・・・・・・・・・・排気装置
９６０・・・・・・・・・・・排気弁受部
９７０・・・・・・・・・・・抜き取られた排気弁
９８０・・・・・・・・・・・装着された排気弁
９９０・・・・・・・・・・・貯水室
【０３３５】
●タワー型揚水式空中アクアリウム装置（図１２）
１２００・・・タワー型揚水式空中アクアリウム装置
１２１０・・・・・・・・・・水槽
１２２０・・・・・・・・・・水平連携水路
１２３０・・・・・・・・・・角筒タワー型貯水路
１２４０・・・・・・・・・・円筒タワー型貯水路
１２５０・・・・・・・・・・排気装置（固定排気弁）
１２６０・・・・・・・・・・給餌装置（可動フタなし）
１２６２・・・・・・・・・・ロート状容器
１２６５・・・・・・・・・・開閉コック
１２７０・・・・・・・・・・開口部
１２８０・・・・・・・・・・
１２９０・・・・・・・・・・魚
【０３３６】
●高層ビル型揚水式空中アクアリウム装置（図１３）
１３００・・・高層ビル型揚水式空中アクアリウム装置
１３１０・・・・・・・・・・水槽
１３２０・・・・・・・・・・水平連携水路
１３３０・・・・・・・・・・貯水室（高層ビル型構造物）
１３３５・・・・・・・・・・開口部
１３４０・・・・・・・・・・排気装置
１３４２・・・・・・・・・・着脱式排気弁受部
１３４５・・・・・・・・・・着脱式排気弁
１３４６・・・・・・・・・・回転式開閉コック
１３４９・・・・・・・・・・支持台
１３６０・・・・・・・・・・給餌装置
１３６２・・・・・・・・・・可動フタ
１３６５・・・・・・・・・・蝶番
１３６７・・・・・・・・・・漏斗状容器
１３６９・・・・・・・・・・回転式開閉コック
【０３３７】
●エレベータ型揚水式空中アクアリウム装置（図１４）
１４００・・・エレベータ型揚水式空中アクアリウム装置
１４１０・・・・・・・・・・２階部垂直連携水槽
１４２０・・・・・・・・・・水平連携水路
１４３０・・・・・・・・・・水平連携水路
１４４０・・・・・・・・・・排気装置
１４５０・・・・・・・・・・給餌装置
１４６０・・・・・・・・・・垂直連携エレベータ
１４６１・・・・・・・・・・２階部水門
１４６２・・・・・・・・・・２階部開口部
１４６３・・・・・・・・・・２階部シャッター
１４６４・・・・・・・・・・１階部水門
１４６５・・・・・・・・・・１階部開口部
１４６６・・・・・・・・・・１階部シャッター
１４７０・・・・・・・・・・１階部垂直連携水槽
１４８０・・・・・・・・・・揚水ポンプ装置
１４８２・・・・・・・・・・入力パイプ
１４８４・・・・・・・・・・出力パイプ
１４９１・・・・・・・・・・水平連携水路
１４９２・・・・・・・・・・水平連携水路
【０３３８】
●タワー型酸素供給装置（図１５）
１５００・・・タワー型酸素供給装置
１５１０・・・・・・・・・・空中水槽
１５１１・・・・・・・・・・開口部
１５１５・・・・・・・・・・落水路
１５２０・・・・・・・・・・タワー型水路
１５３０・・・・・・・・・・貯水室
１５３５・・・・・・・・・・開口部
１５４０・・・・・・・・・・水門
１５４５・・・・・・・・・・シャッター
１５５０・・・・・・・・・・バブル発生器
１５５５・・・・・・・・・・バブル発生装置
１５５７・・・・・・・・・・空気バブル
１５６０・・・・・・・・・・水槽
１５７０・・・・・・・・・・水平連携水路
１５８０・・・・・・・・・・揚水ポンプ装置
１５８２・・・・・・・・・・入力パイプ
１５８４・・・・・・・・・・出力パイプ
１５９０・・・・・・・・・・循環ポンプ装置
【０３３９】
●タワー型カルキ抜き装置（図１６）
１６００・・・タワー型カルキ抜き装置
１６１０・・・・・・・・・・カルキ抜きプール
１６２０・・・・・・・・・・水道蛇口
１６３０・・・・・・・・・・空気バブル発生装置
１６３２・・・・・・・・・・空気チューブ
１６３３・・・・・・・・・・空気バブル発生器
１６４０・・・・・・・・・・空気バブル
１６５０・・・・・・・・・・カルキの含まれた水
１６６０・・・・・・・・・・排出口
１６７０・・・・・・・・・・排出パイプ
１６７５・・・・・・・・・・排出コック
１６８０・・・・・・・・・・1階部水槽
１６９０・・・・・・・・・・水平連携水路
１６９５・・・・・・・・・・水平循環装置（水流ポンプ）
【０３４０】
●エスカレータ型揚水式空中アクアリウム装置（図１７）
１７００・・・エスカレータ型揚水式空中アクアリウム装置
１７１０・・・・・・・・・・水平連携水路A
１７２０・・・・・・・・・・水槽A
１７３０・・・・・・・・・・構造物基礎部A
１７３５・・・・・・・・・・筒状垂直水路A
１７４０・・・・・・・・・・貯水室A
１７４３・・・・・・・・・・開口部A
１７４５・・・・・・・・・・排気装置A
１７４７・・・・・・・・・・給餌装置A
１７５０・・・・・・・・・・エスカレータ状水路
１７６０・・・・・・・・・・水槽B
１７７０・・・・・・・・・・貯水室B
１７７３・・・・・・・・・・開口部B
１７７５・・・・・・・・・・排気装置B
１７８０・・・・・・・・・・水平連携水路B
●サイホン管式水平連携水路装置（図１８）
１８００・・・サイホン管式水平連携水路装置
１８１０・・・・・・・・・・水槽A
１８１５・・・・・・・・・・水平連携水路A
１８１８・・・・・・・・・・排気装置A（固定弁）
１８２０・・・・・・・・・・水槽B
１８２５・・・・・・・・・・水平連携水路B
１８２８・・・・・・・・・・排気装置B（固定弁）
１８３０・・・・・・・・・・水槽C
１８３５・・・・・・・・・・水平連携水路C
１８３８・・・・・・・・・・排気装置C（固定弁）
【０３４１】
●ブリッジ型揚水式空中アクアリウム装置（図１）
６０００・・・ブリッジ型揚水式空中アクアリウム装置
６１００・・・・・・・・・・・水平連携水路
６２００・・・・・・・構造物基礎部
６３００・・・・・・・・・・・上流部水槽
６３１０・・・・・・・・・・・構造物支持台（上流部）
６３２０・・・・・・・・・・・開口部１
６３３０・・・・・・・・・・・開口部２
６３４０・・・・・・・・・・・貫通穴（排水穴）
６４００・・・・・・・・・・・下流部水槽
６４０５・・・・・・・・・・・貫通穴（給水孔）
６４１０・・・・・・・・・・・構造物支持台（下流部）
６４２０・・・・・・・・・・・開口部１
６４３０・・・・・・・・・・・開口部２
６５００・・・・・・・ディスプレイ部
６５１０・・・・・・・・・・・筒状水路（上流部）
６５２０・・・・・・・・・・・筒状水路（下流部）
６６００・・・・・・・・・・・貯水室
６６１０・・・・・・・・・・・開口部（上流部）
６６２０・・・・・・・・・・・開口部（下流部）
６６３０・・・・・・・・・・・排気装置
６７００・・・・・・・・・・・給餌装置１
６７１０・・・・・・・・・・・漏斗状容器
６７２０・・・・・・・・・・・可動フタ
６７３０・・・・・・・・・・・可動フタ蝶番
６７５０・・・・・・・・・・・回転式開閉コック
６８００・・・・・・・・・・・給餌装置２
６８１０・・・・・・・・・・・漏斗状容器
６８２０・・・・・・・・・・・可動フタ
６８４０・・・・・・・・・・・可動フタ蝶番
６８５０・・・・・・・・・・・回転式開閉コック
６９００・・・・・・・・・・・排水用孔
６９１０・・・・・・・・・・・排水用パイプ        
６９５０・・・・・・・・・・・循環ポンプ
【０３４２】
●分散統合型アクアリウム基盤装置（サイホン式揚水エレベータ）（図２）
７０００・・・分散統合型アクアリウム基盤装置（サイホン式揚水エレベータ）        
７１００・・・・・・１階部水流系        
７１１０・・・・・・・・・・・垂直連携水槽
７１２０・・・・・・・・・・・水平連携水路      
７１３０・・・・・・・・・・・上流部水槽ソケット
７１４０・・・・・・・・・・・水平連携水路      
７１５０・・・・・・・・・・・下流部水槽ソケット
７１６０・・・・・・・・・・・垂直連携排水路    
７１７０・・・・・・・・・・・循環装置
７２００・・・・・・垂直連携水流系
７２１０・・・・・・・・垂直連携揚水エレベータ（サイホン式エレベータ）
７２２０・・・・・・・・・・・1階部水門付き貯水室
７２２３・・・・・・・・・・・1階部水門開口部
７２２５・・・・・・・・・・・1階部水門シャッター
７２３０・・・・・・・・・・・垂直連携水路（逆L形筒状水路）            
７２４０・・・・・・・・・・・2階部水門付き貯水室
７２４３・・・・・・・・・・・2階部水門開口部
７２４５・・・・・・・・・・・2階部水門シャッター
７２５０・・・・・・・・・・・排気装置
７２６０・・・・・・・・・・・給餌装置          
７２７０・・・・・・・・垂直連携揚水装置        
７２８０・・・・・・・・・・・垂直連携ポンプ装置        
７２９０・・・・・・・・・・・垂直連携パイプ
７３００・・・・・・２階部水流系        
７３０５・・・・・・２階部垂直連携水槽
７３１０・・・・・・・・・ブリッジ型空中アクアリウム装置
７３１５・・・・・・・・・・・水平連携水路
７３２０・・・・・・・・・・・上流部水槽ソケット
７３３０・・・・・・・・・・・構造物基礎      （実装）
７３３５・・・・・・・・・・・構造物基礎開口部（実装）
７３４０・・・・・・・・・・・筒状水路        （実装）
７３４５・・・・・・・・・・・筒状水路開口部  （実装）
７３５０・・・・・・・・・・・下流部水槽ソケット
７３６０・・・・・・・・・・・構造物基礎      （実装）
７３６５・・・・・・・・・・・構造物基礎開口部（実装）
７３７０・・・・・・・・・・・筒状水路        （実装）
７３７５・・・・・・・・・・・筒状水路開口部  （実装）
７３８０・・・・・・・・・・・貯水室          （実装）
７３８２・・・・・・・・・・・排気装置        （実装）
７３８３・・・・・・・・・・・給餌装置        （実装）
７３８５・・・・・・・・・・・垂直連携排水路
７３９０・・・・・・・・・・・循環装置
７４００・・・・浄水装置
７４１０・・・・・・・カルキ抜き装置
７４２０・・・・・・・・・・・空気バブル発生装置
７４３０・・・・・・・・・・・空気バブル発生器
７４４０・・・・・・・・・・・空気バブル
７４７０・・・・・・・・・・・水道蛇口
７４８０・・・・・・・・・・・送出装置
７４９０・・・・・・・・・・・送出コック
７５００・・・・掃除補助装置
７５１０・・・・・・・水温制御装置
７５２０・・・・・・・・・・・目標水温設定（A地点：掃除屋控室）
７５３０・・・・・・・・・・・目標水温設定（B地点）
７５４０・・・・・・・・・・・掃除屋控室
７５５０・・・・・・・・・・・水温センサー（A地点：掃除屋控室）
７５６０・・・・・・・・・・・発熱装置（A地点：掃除屋控室）
７５７０・・・・・・・・・・・水温センサー（B地点：）
７５８０・・・・・・・・・・・発熱装置（B地点）
【０３４３】
●分散統合型アクアリウム基盤装置システム（加圧式揚水エレベータ）（図３）
８０００・・・分散統合型アクアリウム基盤装置（加圧式揚水エレベータ）    
８１００・・・・・・１階部水流系        
８１１０・・・・・・・・１階部水槽ソケット１
８１２０・・・・・・・・1階部水平連携水路１     
８１３０・・・・・・・・1階部水槽ソケット２
８１４０・・・・・・・・1階部水平連携水路２     
８１５０・・・・・・・・1階部水槽ソケット３
８１６０・・・・・・・・1階部排水路     
８１７０・・・・・・・・1階部循環装置
８２００・・・・・・垂直連携水流系
８２１０・・・・・・・・垂直連携揚水エレベータ（加圧式エレベータ）
８２２０・・・・・・・・垂直連携1階部貯水室
８２２５・・・・・・・・垂直連携1階部開口部
８２３０・・・・・・・・垂直連携1階部シャッター
８２４０・・・・・・・・垂直連携ポンプ装置      
８２５０・・・・・・・・垂直連携パイプ
８２６０・・・・・・・・垂直連携水路            
８２７０・・・・・・・・垂直連携2階部貯水室
８２７５・・・・・・・・垂直連携2階部開口部
８２８０・・・・・・・・垂直連携2階部シャッター
８２９０・・・・・・・・垂直連携給餌装置        
８３００・・・・・・２階部水流系        
８３１０・・・・・・・・2階部水槽ソケット１
８３１５・・・・・・・・2階部水平連携水路
８３２０・・・・・・・・2階部水槽ソケット２
８３５０・・・・・・・・・・・高層ビル型ディスプレイ装置（実装）
８３５１・・・・・・・・・・・高層ビル貯水室            （実装）
８３５２・・・・・・・・・・・高層ビル貯水室開口部      （実装）
８３５５・・・・・・・・・・・高層ビル排気装置          （実装）
８３５６・・・・・・・・・・・高層ビル給餌装置          （実装）
８３７０・・・・・・・・2階部排水路
８３８０・・・・・・・・2階部循環装置
８４００・・・・・・２階部給水系
８４１０・・・・・・・・2階部給水水槽
８４２０・・・・・・・・2階部給水パイプ
８４３０・・・・・・・・2階部給水開閉コック
【産業上の利用可能性】
【０３４４】
空中アクアリウム装置は、会社や病院のロビーや待合室、店舗に置かれてあれば癒し空間となり、そのメリットは大きい。
【０３４５】
本発明により、従来のアクアリウム装置での課題・導入を阻害していた要因の多くが解決されるため、家庭用、オフィス用、店舗用、病院用など幅広い利用が期待される。
【０３４６】
（１）家庭用の鑑賞用水槽
（２）産業用の魚介類の飼育養殖用水槽
（３）海上や湖面での魚の飼育・生け簀での魚の監視・魚ショー
（４）鑑賞魚を育てる教育施設としての利用  
（５）多数の小さな水槽と貯水室を水路で繋いで巨大な水族館を建設することができる
【０３４７】
産業としての効果
【０３４８】
（１）従来の魚を飼う水槽に比べて、大規模・高性能なアクアリウムを安価に提供できるようになる。  スケールは大きいが軽い構造物を少ないコストで建設可能。  
過去に大きな画面に録画映像で魚たちを表示する装置が設置されたことがあったが、生体を録画ではなく実物でホテルやクラブバー、学校などに展示できる。
【０３４９】
（２）コスト面、構造物の形状・サイズ・デザイン面で優位な特徴を持っている。
アクリル樹脂は、ショウケースに使われるほど、軽量で美観にすぐれている。
・水族館での設備と同程度の機能と性能をもった水槽を一般向けに提供できる。
・垂直方向の設置が可能なため、設備に大きな設置面積が必要ない
・病院や幼稚園用としては、１８０センチ×１８０センチ×６０センチ程度のサイズで実現可能である
・家庭用に普及する条件として、机の上に乗る程度の大きさ、
３０センチ×３０センチ×６０センチ程度、にまで小型化が可能となった。
・家庭用水槽として、自動化できたので、省力化、小型化できた。
【図１】
2018113893.tif 000003
【図２】
2018113893.tif 000004
【図３】
2018113893.tif 000005
【図４】
2018113893.tif 000006
【図５】
2018113893.tif 000007
【図６】
2018113893.tif 000008
【図７】
2018113893.tif 000009
【図８】
2018113893.tif 000010
【図９】
2018113893.tif 000011
【図１０】
2018113893.tif 000012
【図１１】
2018113893.tif 000013
【図１２】
2018113893.tif 000014
【図１３】
2018113893.tif 000015
【図１４】
2018113893.tif 000016
【図１５】
2018113893.tif 000017
【図１６】
2018113893.tif 000018
【図１７】
2018113893.tif 000019
【図１８】
2018113893.tif 000020
【図１９】
2018113893.tif 000021